(57)【要約】  本願は、節電信号の伝送方法及びデバイスを開示し、ネットワークデバイスが端末デバイスに節電信号を送信し、該節電信号が第１のシーケンスを含み、該第１のシーケンスが前記端末デバイスに関連する識別情報のうちの少なくとも一部の識別情報を示し、及び／又は該第１のシーケンスが該端末デバイスが時間周波数同期を行うために使用される。ここで、該端末デバイスに関連する識別情報は、該端末デバイスが属するデバイスグループの識別子、該端末デバイスのデバイス識別子、及び該端末デバイスが位置するセルの物理セル識別子ＰＣＩ情報を含む。そして、該節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができる。
2021521670.tif 000002
【特許請求の範囲】
【請求項１】
ネットワークデバイスが端末デバイスに節電信号を送信することを含み、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする節電信号の伝送方法。
【請求項２】
前記第１のシーケンスが前記端末デバイスが属するデバイスグループの識別子を示し、
Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である
ことを特徴とする請求項１に記載の節電信号の伝送方法。
【請求項３】
前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである
ことを特徴とする請求項２に記載の節電信号の伝送方法。
【請求項４】
前記第１のシーケンスが前記端末デバイスのデバイス識別子を示し、
Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である
ことを特徴とする請求項１に記載の節電信号の伝送方法。
【請求項５】
前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである
ことを特徴とする請求項４に記載の節電信号の伝送方法。
【請求項６】
前記第１のシーケンスは、前記端末デバイスが位置するセルのＰＣＩ情報を示し、
Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である
ことを特徴とする請求項１に記載の節電信号の伝送方法。
【請求項７】
前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである
ことを特徴とする請求項６に記載の節電信号の伝送方法。
【請求項８】
前記第１のシーケンスは、前記端末デバイスが属するデバイスグループの識別子及び前記端末デバイスが位置するセルのＰＣＩ情報を示し、
Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである
ことを特徴とする請求項１に記載の節電信号の伝送方法。
【請求項９】
前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである
ことを特徴とする請求項８に記載の節電信号の伝送方法。
【請求項１０】
前記第１のシーケンスは、前記端末デバイスのデバイス識別子及び前記端末デバイスが位置するセルのＰＣＩ情報を示し、
Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである
ことを特徴とする請求項１に記載の節電信号の伝送方法。
【請求項１１】
前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである
ことを特徴とする請求項１０に記載の節電信号の伝送方法。
【請求項１２】
前記端末デバイスが位置するセルのＰＣＩ情報は、前記端末デバイスが位置するセルのＰＣＩが属するＰＣＩグループの識別子、又は、前記端末デバイスが位置するセルのＰＣＩを含み、ＰＣＩ  ｍｏｄ  Ｋの値が等しいＰＣＩが同一のＰＣＩグループに属する
ことを特徴とする請求項１〜１１のいずれか１項に記載の節電信号の伝送方法。
【請求項１３】
前記第１のシーケンスは、ＺＣシーケンス、Ｍシーケンス又はＰＮシーケンスである
ことを特徴とする請求項１〜１２のいずれか１項に記載の節電信号の伝送方法。
【請求項１４】
前記第１のシーケンスは、前記端末デバイスが位置するセルのＰＣＩ情報を示す場合、さらに、前記端末デバイスが無線リソース管理ＲＲＭ測定を行うために使用される
ことを特徴とする請求項１〜１３のいずれか１項に記載の節電信号の伝送方法。
【請求項１５】
前記節電信号が第１のチャネルをさらに含み、前記第１のチャネルは、前記端末デバイスが属するデバイスグループの識別子、又は、前記端末デバイスのデバイス識別子を示す
ことを特徴とする請求項１〜１４のいずれか１項に記載の節電信号の伝送方法。
【請求項１６】
前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す
ことを特徴とする請求項１５に記載の節電信号の伝送方法。
【請求項１７】
前記第１のチャネルは、さらに、前記端末デバイスが使用する帯域幅部分ＢＷＰの情報及び／又は物理下り制御チャネルＰＤＣＣＨ探索空間の構成情報を示す
ことを特徴とする請求項１５又は１６に記載の節電信号の伝送方法。
【請求項１８】
前記第１のシーケンスが第１の時間領域リソースを占用し、前記第１のチャネルが第２の時間領域リソースを占用し、前記第２の時間領域リソースが前記第１の時間領域リソースの後に位置する
ことを特徴とする請求項１５〜１７のいずれか１項に記載の節電信号の伝送方法。
【請求項１９】
前記第１のシーケンスが前記第１の時間領域リソースにおいて第１の周波数領域リソースを占用し、前記第１のチャネルが前記第２の時間領域リソースにおいて前記第１の周波数領域リソースを占用する
ことを特徴とする請求項１８に記載の節電信号の伝送方法。
【請求項２０】
前記第１のチャネルが前記第１の時間領域リソースをさらに占用し、
前記第１のシーケンスが前記第１の時間領域リソースにおいて第１の周波数領域リソースを占用し、前記第１のチャネルが前記第１の時間領域リソースにおいて第２の周波数領域リソースを占用し、前記第２の時間領域リソースにおいて第３の周波数領域リソースを占用し、
前記第１の周波数領域リソースと前記第３の周波数領域リソースの中心周波数ポイントが同じであり、前記第２の周波数領域リソースが前記第１の周波数領域リソース両側に位置する等しい２つの周波数領域リソースを含み、前記第３の周波数領域リソースが前記第１の周波数領域リソース及び前記第２の周波数領域リソースを含む
ことを特徴とする請求項１８に記載の節電信号の伝送方法。
【請求項２１】
前記節電信号が第２のシーケンスをさらに含み、
前記第２のシーケンスは、前記端末デバイスに関連する識別情報のうちの少なくとも一部の識別情報を示す
ことを特徴とする請求項１〜１７のいずれか１項に記載の節電信号の伝送方法。
【請求項２２】
前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、
前記第１のシーケンスが前記端末デバイスが位置するセルのＰＣＩ情報を示さない場合、前記第２のシーケンスが前記端末デバイスが位置するセルのＰＣＩ情報を示し、
前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す
ことを特徴とする請求項２１に記載の節電信号の伝送方法。
【請求項２３】
前記第２のシーケンスは、ＺＣシーケンス、Ｍシーケンス又はＰＮシーケンスである
ことを特徴とする請求項２１又は２２に記載の節電信号の伝送方法。
【請求項２４】
前記第１のシーケンスが第１の時間領域リソースを占用し、前記第１のチャネルが第２の時間領域リソース、第３の時間領域リソース及び第４の時間領域リソースを占用し、前記第２のシーケンスが前記第３の時間領域リソースを占用し、
前記第１の時間領域リソース、前記第２の時間領域リソース、前記第３の時間領域リソース及び前記第４の時間領域リソースは、時間領域において前から後に順に位置する
ことを特徴とする請求項２１〜２３のいずれか１項に記載の節電信号の伝送方法。
【請求項２５】
前記第１のシーケンスが前記第１の時間領域リソースにおいて第１の周波数領域リソースを占用し、前記第１のチャネルが前記第２の時間領域リソース及び前記第４の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項２４に記載の節電信号の伝送方法。
【請求項２６】
前記第１のシーケンスが第１の時間領域リソースを占用し、前記第１のチャネルが第２の時間領域リソースを占用し、前記第２のシーケンスが第３の時間領域リソースを占用し、
前記第１の時間領域リソース、前記第２の時間領域リソース及び前記第３の時間領域リソースが、時間領域において前から後に順に位置する
ことを特徴とする請求項２１〜２３のいずれか１項に記載の節電信号の伝送方法。
【請求項２７】
前記第１のシーケンスが前記第１の時間領域リソースにおいて第１の周波数領域リソースを占用し、前記第１のチャネルが前記第２の時間領域リソースにおいて前記第１の周波数領域リソースを占用し、前記第２のシーケンスが前記第３の時間領域リソースにおいて前記第１の周波数領域リソースを占用する
ことを特徴とする請求項２６に記載の節電信号の伝送方法。
【請求項２８】
前記第１のチャネルが前記第３の時間領域リソースをさらに占用し、
前記第１のシーケンスが前記第１の時間領域リソースにおいて第１の周波数領域リソースを占用し、前記第１のチャネルが前記第２の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項２６に記載の節電信号の伝送方法。
【請求項２９】
前記第１のシーケンスが第１の時間領域リソースを占用し、前記第２のシーケンスが第２の時間領域リソースを占用し、前記第１のチャネルが第３の時間領域リソースを占用し、
前記第１の時間領域リソース、前記第２の時間領域リソース及び前記第３の時間領域リソースが、時間領域において前から後に順に位置する
ことを特徴とする請求項２１〜２３のいずれか１項に記載の節電信号の伝送方法。
【請求項３０】
前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第３の時間領域リソースにおいて前記第１の周波数領域リソースを占用する
ことを特徴とする請求項２９に記載の節電信号の伝送方法。
【請求項３１】
前記第１のチャネルが前記第２の時間領域リソースをさらに占用し、
前記第１のシーケンスが前記第１の時間領域リソースにおいて第１の周波数領域リソースを占用し、前記第２のシーケンスが前記第２の時間領域リソースにおいて第４の周波数領域リソースを占用し、前記第１のチャネルが前記第２の時間領域リソースにおいて第２の周波数領域リソースを占用し、前記第３の時間領域リソースにおいて第３の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項２９に記載の節電信号の伝送方法。
【請求項３２】
前記第１のシーケンスが第１の時間領域リソースを占用し、前記第２のシーケンスが第２の時間領域リソースを占用し、前記第１のチャネルが前記第２の時間領域リソースを占用し、前記第２の時間領域リソースが前記第１の時間領域リソースの後に位置する
ことを特徴とする請求項２１〜２３のいずれか１項に記載の節電信号の伝送方法。
【請求項３３】
前記第１のシーケンスが前記第１の時間領域リソースにおいて第１の周波数領域リソースを占用し、前記第１のチャネルが前記第２の時間領域リソースにおいて第２の周波数領域リソースを占用し、前記第２のシーケンスが前記第２の時間領域リソースにおいて第４の周波数領域リソースを占用し、
前記第１の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第４の周波数領域リソースと前記第２の周波数領域リソースとの和が第３の周波数領域リソースであり、前記第１の周波数領域リソースの幅が前記第３の周波数領域リソースの幅以下である
ことを特徴とする請求項３２に記載の節電信号の伝送方法。
【請求項３４】
前記第１のチャネルが前記第１の時間領域リソースをさらに占用し、
前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第１の時間領域リソース及び前記第２の時間領域リソースにおいて第２の周波数領域リソースを占用し、
前記第２の周波数領域リソースが前記第１の周波数領域リソース両側に位置する等しい２つの周波数領域リソースを含み、前記第１の周波数領域リソースと前記第２の周波数領域リソースとの和が第３の周波数領域リソースである
ことを特徴とする請求項３２に記載の節電信号の伝送方法。
【請求項３５】
前記第１の周波数領域リソースが１２＋Ｐ個の物理リソースブロックＰＲＢを含み、前記第３の周波数領域リソースが２０個のＰＲＢを含み、前記第４の周波数領域リソースが１２個のＰＲＢを含み、前記第２の周波数領域リソースに含まれる前記第４の周波数領域リソース両側に位置する等しい２つ周波数領域リソースは、それぞれ４個のＰＲＢであり、Ｐが自然数である
ことを特徴とする請求項１８〜２０、２４〜３４のいずれか１項に記載の節電信号の伝送方法。
【請求項３６】
前記第１のシーケンスがプライマリ同期信号ＰＳＳであり、第２のシーケンスがセカンダリ同期信号ＳＳＳであり、前記第１のチャネルのチャネル構成が物理放送チャネルＰＢＣＨのチャネル構成と同じであり、前記第１のチャネルで搬送されるペイロードと前記ＰＢＣＨで搬送されるペイロードとが異なる
ことを特徴とする請求項１〜３５のいずれか１項に記載の節電信号の伝送方法。
【請求項３７】
端末デバイスがネットワークデバイスにより送信された節電信号を受信し、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用されることと、
前記端末デバイスが前記節電信号に基づいて節電動作を行うこととを含み、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする節電信号の伝送方法。
【請求項３８】
前記第１のシーケンスが前記端末デバイスが属するデバイスグループの識別子を示し、
Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である
ことを特徴とする請求項３７に記載の節電信号の伝送方法。
【請求項３９】
前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである
ことを特徴とする請求項３８に記載の節電信号の伝送方法。
【請求項４０】
前記第１のシーケンスが前記端末デバイスのデバイス識別子を示し、
Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である
ことを特徴とする請求項３７に記載の節電信号の伝送方法。
【請求項４１】
前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである
ことを特徴とする請求項４０に記載の節電信号の伝送方法。
【請求項４２】
前記第１のシーケンスは、前記端末デバイスが位置するセルのＰＣＩ情報を示し、
Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である
ことを特徴とする請求項３７に記載の節電信号の伝送方法。
【請求項４３】
前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである
ことを特徴とする請求項４２に記載の節電信号の伝送方法。
【請求項４４】
前記第１のシーケンスは、前記端末デバイスが属するデバイスグループの識別子及び前記端末デバイスが位置するセルのＰＣＩ情報を示し、
Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである
ことを特徴とする請求項３７に記載の節電信号の伝送方法。
【請求項４５】
前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである
ことを特徴とする請求項４４に記載の節電信号の伝送方法。
【請求項４６】
前記第１のシーケンスは、前記端末デバイスのデバイス識別子及び前記端末デバイスが位置するセルのＰＣＩ情報を示し、
Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである
ことを特徴とする請求項３７に記載の節電信号の伝送方法。
【請求項４７】
前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである
ことを特徴とする請求項４６に記載の節電信号の伝送方法。
【請求項４８】
前記端末デバイスが位置するセルのＰＣＩ情報は、前記端末デバイスが位置するセルのＰＣＩが属するＰＣＩグループの識別子、又は、前記端末デバイスが位置するセルのＰＣＩを含み、ＰＣＩ  ｍｏｄ  Ｋの値が等しいＰＣＩが同一のＰＣＩグループに属する
ことを特徴とする請求項３７〜４７のいずれか１項に記載の節電信号の伝送方法。
【請求項４９】
前記第１のシーケンスは、ＺＣシーケンス、Ｍシーケンス又はＰＮシーケンスである
ことを特徴とする請求項３７〜４８のいずれか１項に記載の節電信号の伝送方法。
【請求項５０】
前記第１のシーケンスは、前記端末デバイスが位置するセルのＰＣＩ情報を示す場合、さらに、前記端末デバイスが無線リソース管理ＲＲＭ測定を行うために使用される
ことを特徴とする請求項３７〜４９のいずれか１項に記載の節電信号の伝送方法。
【請求項５１】
前記節電信号が第１のチャネルをさらに含み、前記第１のチャネルは、前記端末デバイスが属するデバイスグループの識別子、又は、前記端末デバイスのデバイス識別子を示す
ことを特徴とする請求項３７〜５０のいずれか１項に記載の節電信号の伝送方法。
【請求項５２】
前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す
ことを特徴とする請求項５１に記載の節電信号の伝送方法。
【請求項５３】
前記第１のチャネルは、さらに、前記端末デバイスが使用する帯域幅部分ＢＷＰの情報及び／又は物理下り制御チャネルＰＤＣＣＨ探索空間の構成情報を示す
ことを特徴とする請求項５１又は５２に記載の節電信号の伝送方法。
【請求項５４】
前記第１のシーケンスが第１の時間領域リソースを占用し、前記第１のチャネルが第２の時間領域リソースを占用し、前記第２の時間領域リソースが前記第１の時間領域リソースの後に位置する
ことを特徴とする請求項３７〜５３のいずれか１項に記載の節電信号の伝送方法。
【請求項５５】
前記第１のシーケンスが前記第１の時間領域リソースにおいて第１の周波数領域リソースを占用し、前記第１のチャネルが前記第２の時間領域リソースにおいて前記第１の周波数領域リソースを占用する
ことを特徴とする請求項５４に記載の節電信号の伝送方法。
【請求項５６】
前記第１のチャネルが前記第１の時間領域リソースをさらに占用し、
前記第１のシーケンスが前記第１の時間領域リソースにおいて第１の周波数領域リソースを占用し、前記第１のチャネルが前記第１の時間領域リソースにおいて第２の周波数領域リソースを占用し、前記第２の時間領域リソースにおいて第３の周波数領域リソースを占用し、
前記第１の周波数領域リソースと前記第３の周波数領域リソースの中心周波数ポイントが同じであり、前記第２の周波数領域リソースが前記第１の周波数領域リソース両側に位置する等しい２つの周波数領域リソースを含み、前記第３の周波数領域リソースが前記第１の周波数領域リソース及び前記第２の周波数領域リソースを含む
ことを特徴とする請求項５４に記載の節電信号の伝送方法。
【請求項５７】
前記節電信号が第２のシーケンスをさらに含み、前記第２のシーケンスは、前記端末デバイスに関連する識別情報のうちの少なくとも一部の識別情報を示す
ことを特徴とする請求項３７〜５３のいずれか１項に記載の節電信号の伝送方法。
【請求項５８】
前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、
前記第１のシーケンスが前記端末デバイスが位置するセルのＰＣＩ情報を示さない場合、前記第２のシーケンスが前記端末デバイスが位置するセルのＰＣＩ情報を示し、
前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す
ことを特徴とする請求項５７に記載の節電信号の伝送方法。
【請求項５９】
前記第２のシーケンスは、ＺＣシーケンス、Ｍシーケンス又はＰＮシーケンスである
ことを特徴とする請求項５７又は５８に記載の節電信号の伝送方法。
【請求項６０】
前記第１のシーケンスが第１の時間領域リソースを占用し、前記第１のチャネルが第２の時間領域リソース、第３の時間領域リソース及び第４の時間領域リソースを占用し、前記第２のシーケンスが前記第３の時間領域リソースを占用し、
前記第１の時間領域リソース、前記第２の時間領域リソース、前記第３の時間領域リソース及び前記第４の時間領域リソースは、時間領域において前から後に順に位置する
ことを特徴とする請求項５７〜５９のいずれか１項に記載の節電信号の伝送方法。
【請求項６１】
前記第１のシーケンスが前記第１の時間領域リソースにおいて第１の周波数領域リソースを占用し、前記第１のチャネルが前記第２の時間領域リソース及び前記第４の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項６０に記載の節電信号の伝送方法。
【請求項６２】
前記第１のシーケンスが第１の時間領域リソースを占用し、前記第１のチャネルが第２の時間領域リソースを占用し、前記第２のシーケンスが第３の時間領域リソースを占用し、
前記第１の時間領域リソース、前記第２の時間領域リソース及び前記第３の時間領域リソースが、時間領域において前から後に順に位置する
ことを特徴とする請求項５７〜５９のいずれか１項に記載の節電信号の伝送方法。
【請求項６３】
前記第１のシーケンスが前記第１の時間領域リソースにおいて第１の周波数領域リソースを占用し、前記第１のチャネルが前記第２の時間領域リソースにおいて前記第１の周波数領域リソースを占用し、前記第２のシーケンスが前記第３の時間領域リソースにおいて前記第１の周波数領域リソースを占用する
ことを特徴とする請求項６２に記載の節電信号の伝送方法。
【請求項６４】
前記第１のチャネルが前記第３の時間領域リソースをさらに占用し、
前記第１のシーケンスが前記第１の時間領域リソースにおいて第１の周波数領域リソースを占用し、前記第１のチャネルが前記第２の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項６２に記載の節電信号の伝送方法。
【請求項６５】
前記第１のシーケンスが第１の時間領域リソースを占用し、前記第２のシーケンスが第２の時間領域リソースを占用し、前記第１のチャネルが第３の時間領域リソースを占用し、
前記第１の時間領域リソース、前記第２の時間領域リソース及び前記第３の時間領域リソースが、時間領域において前から後に順に位置する
ことを特徴とする請求項５７〜５９のいずれか１項に記載の節電信号の伝送方法。
【請求項６６】
前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第３の時間領域リソースにおいて前記第１の周波数領域リソースを占用する
ことを特徴とする請求項６５に記載の節電信号の伝送方法。
【請求項６７】
前記第１のチャネルが前記第２の時間領域リソースをさらに占用し、
前記第１のシーケンスが前記第１の時間領域リソースにおいて第１の周波数領域リソースを占用し、前記第２のシーケンスが前記第２の時間領域リソースにおいて第４の周波数領域リソースを占用し、前記第１のチャネルが前記第２の時間領域リソースにおいて第２の周波数領域リソースを占用し、前記第３の時間領域リソースにおいて第３の周波数領域リソースを占用し、
前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である
ことを特徴とする請求項６５に記載の節電信号の伝送方法。
【請求項６８】
前記第１のシーケンスが第１の時間領域リソースを占用し、前記第２のシーケンスが第２の時間領域リソースを占用し、前記第１のチャネルが前記第２の時間領域リソースを占用し、前記第２の時間領域リソースが前記第１の時間領域リソースの後に位置する
ことを特徴とする請求項５７〜５９のいずれか１項に記載の節電信号の伝送方法。
【請求項６９】
前記第１のシーケンスが前記第１の時間領域リソースにおいて第１の周波数領域リソースを占用し、前記第１のチャネルが前記第２の時間領域リソースにおいて第２の周波数領域リソースを占用し、前記第２のシーケンスが前記第２の時間領域リソースにおいて第４の周波数領域リソースを占用し、
前記第１の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第４の周波数領域リソースと前記第２の周波数領域リソースとの和が第３の周波数領域リソースであり、前記第１の周波数領域リソースの幅が前記第３の周波数領域リソースの幅以下である
ことを特徴とする請求項６８に記載の節電信号の伝送方法。
【請求項７０】
前記第１のチャネルが前記第１の時間領域リソースをさらに占用し、
前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第１の時間領域リソース及び前記第２の時間領域リソースにおいて第２の周波数領域リソースを占用し、
前記第２の周波数領域リソースが前記第１の周波数領域リソース両側に位置する等しい２つの周波数領域リソースを含み、前記第１の周波数領域リソースと前記第２の周波数領域リソースとの和が第３の周波数領域リソースである
ことを特徴とする請求項６８に記載の節電信号の伝送方法。
【請求項７１】
前記第１の周波数領域リソースが１２＋Ｐ個の物理リソースブロックＰＲＢを含み、前記第３の周波数領域リソースが２０個のＰＲＢを含み、前記第４の周波数領域リソースが１２個のＰＲＢを含み、前記第２の周波数領域リソースに含まれる前記第４の周波数領域リソース両側に位置する等しい２つ周波数領域リソースは、それぞれ４個のＰＲＢであり、Ｐが自然数である
ことを特徴とする請求項５４〜５６、６０〜７０のいずれか１項に記載の節電信号の伝送方法。
【請求項７２】
前記第１のシーケンスがプライマリ同期信号ＰＳＳであり、第２のシーケンスがセカンダリ同期信号ＳＳＳであり、前記第１のチャネルのチャネル構成が物理放送チャネルＰＢＣＨのチャネル構成と同じであり、前記第１のチャネルで搬送されるペイロードと前記ＰＢＣＨで搬送されるペイロードとが異なる
ことを特徴とする請求項３７〜７１のいずれか１項に記載の節電信号の伝送方法。
【請求項７３】
処理ユニットと、送受信ユニットと、を備えるネットワークデバイスであって、
前記処理ユニットは、節電信号を生成するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記送受信ユニットは、前記処理ユニットにより生成された前記節電信号を端末デバイスに送信するように構成され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とするネットワークデバイス。
【請求項７４】
送受信ユニットと、処理ユニットと、を備える端末デバイスであって、
前記送受信ユニットは、ネットワークデバイスにより送信された節電信号を受信するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記処理ユニットは、前記送受信ユニットにより受信された前記節電信号に基づいて節電動作を行うように構成され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする端末デバイス。
【発明の詳細な説明】
【技術分野】
【０００１】
本願の実施例は、通信分野に関し、具体的に、節電信号の伝送方法及びデバイスに関する。
【背景技術】
【０００２】
端末デバイスの節電化を考慮して、非連続送信( Ｄｉｓｃｏｎｔｉｎｕｏｕｓ Ｒｅｃｅｐｔｉｏｎ，ＤＲＸ )メカニズムが導入されている。各ＤＲＸ周期( ＤＲＸ Ｃｙｃｌｅ )には、活性化期間( ｏｎ ｄｕｒａｔｉｏｎ )及び休止期間( Ｏｐｐｏｒｔｕｎｉｔｙ ｆｏｒ ＤＲＸ )が含まれ、活性化期間で端末デバイスは制御チャネルを検出し、休止(スリープとも称される)期間で端末デバイスは制御チャネルの受信を停止することによって(このとき、端末デバイスは制御チャネルのブラインド検出を停止する)、電力消費を低減し、バッテリ使用時間を改善する。
【０００３】
５Ｇシステムでは、節電化の目的のために端末デバイスの状態を制御する節電化信号が導入され、例えば、この節電信号は、ウェイクアップ信号であり、ＤＲＸ周期内の「活性化期間」内に端末デバイスがウェイクアップすることを示し、端末デバイスは、ウェイクアップ信号を検出した場合にのみ、「活性化期間」内にウェイクアップしてＰＤＣＣＨを検出し、この端末デバイスは、ウェイクアップ信号を検出しなかった場合には、ＰＤＣＣＨ検出を行わない。したがって、節電信号をどのように設計して、節電信号を効率的に伝送するかが、解決すべき課題となっている。
【発明の概要】
【０００４】
本願の実施例は、この節電信号の設計で節電信号の有効的な伝送を実現することができる節電信号の伝送方法及びデバイスを提供する。
【０００５】
第１の態様は、節電信号の伝送方法を提供し、ネットワークデバイスが端末デバイスに節電信号を送信することを含み、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、ここで、前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む。
【０００６】
第２の態様は、節電信号の伝送方法を提供し、端末デバイスがネットワークデバイスにより送信された節電信号を受信し、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、前記端末デバイスが前記節電信号に基づいて節電動作を行うこととを含み、ここで、前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む。
【０００７】
そこで、本願の実施例では、この節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができ、さらに、この第１のシーケンスは、時間周波数同期や測定等の機能を有することもでき、節電信号の機能を大幅に向上させて、端末デバイスの消費電力を更に低減することができる。
【０００８】
第１の態様又は第２の態様の実現可能な形態において、前記第１のシーケンスが前記端末デバイスが属するデバイスグループの識別子を示し、ここで、Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である。
【０００９】
第１の態様又は第２の態様の実現可能な形態において、前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである。
【００１０】
第１の態様又は第２の態様の実現可能な形態において、前記第１のシーケンスが前記端末デバイスのデバイス識別子を示し、ここで、Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である。
【００１１】
第１の態様又は第２の態様の実現可能な形態において、前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである。
【００１２】
第１の態様又は第２の態様の実現可能な形態において、前記第１のシーケンスは、前記端末デバイスが位置するセルのＰＣＩ情報を示し、ここで、Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である。
【００１３】
第１の態様又は第２の態様の実現可能な形態において、前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである。
【００１４】
第１の態様又は第２の態様の実現可能な形態において、前記第１のシーケンスは、前記端末デバイスが属するデバイスグループの識別子及び前記端末デバイスが位置するセルのＰＣＩ情報を示し、ここで、Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである。
【００１５】
第１の態様又は第２の態様の実現可能な形態において、前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである。
【００１６】
第１の態様又は第２の態様の実現可能な形態において、前記第１のシーケンスは、前記端末デバイスのデバイス識別子及び前記端末デバイスが位置するセルのＰＣＩ情報を示し、ここで、Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである。
【００１７】
第１の態様又は第２の態様の実現可能な形態において、前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである。
【００１８】
第１の態様又は第２の態様の実現可能な形態において、前記端末デバイスが位置するセルのＰＣＩ情報は、前記端末デバイスが位置するセルのＰＣＩが属するＰＣＩグループの識別子、又は、前記端末デバイスが位置するセルのＰＣＩを含み、ここで、ＰＣＩ ｍｏｄ Ｋの値が等しいＰＣＩが同一のＰＣＩグループに属する。
【００１９】
第１の態様又は第２の態様の実現可能な形態において、前記第１のシーケンスは、ＺＣシーケンス、Ｍシーケンス又はＰＮシーケンスである。
【００２０】
第１の態様又は第２の態様の実現可能な形態において、前記第１のシーケンスは、前記端末デバイスが位置するセルのＰＣＩ情報を示す場合、さらに、前記端末デバイスが無線リソース管理ＲＲＭ測定を行うために使用される。
【００２１】
第１の態様又は第２の態様の実現可能な形態において、前記節電信号が第１のチャネルをさらに含み、ここで、前記第１のチャネルは、前記端末デバイスが属するデバイスグループの識別子、又は、前記端末デバイスのデバイス識別子を示す。
【００２２】
第１の態様又は第２の態様の実現可能な形態において、前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す。
【００２３】
第１の態様又は第２の態様の実現可能な形態において、前記第１のチャネルは、さらに、前記端末デバイスが使用する帯域幅部分ＢＷＰの情報及び／又は物理下り制御チャネルＰＤＣＣＨ探索空間の構成情報を示す。
【００２４】
第１の態様又は第２の態様の実現可能な形態において、前記第１のシーケンスが第１の時間領域リソースを占用し、前記第１のチャネルが第２の時間領域リソースを占用し、前記第２の時間領域リソースが前記第１の時間領域リソースの後に位置する。
【００２５】
第１の態様又は第２の態様の実現可能な形態において、前記第１のシーケンスが前記第１の時間領域リソースにおいて第１の周波数領域リソースを占用し、前記第１のチャネルが前記第２の時間領域リソースにおいて前記第１の周波数領域リソースを占用する。
【００２６】
第１の態様又は第２の態様の実現可能な形態において、前記第１のチャネルが前記第１の時間領域リソースをさらに占用する。前記第１のシーケンスが前記第１の時間領域リソースにおいて第１の周波数領域リソースを占用し、前記第１のチャネルが前記第１の時間領域リソースにおいて第２の周波数領域リソースを占用し、前記第２の時間領域リソースにおいて第３の周波数領域リソースを占用する。前記第１の周波数領域リソースと前記第３の周波数領域リソースの中心周波数ポイントが同じであり、前記第２の周波数領域リソースが前記第１の周波数領域リソース両側に位置する等しい２つの周波数領域リソースを含み、前記第３の周波数領域リソースが前記第１の周波数領域リソース及び前記第２の周波数領域リソースを含む。
【００２７】
第１の態様又は第２の態様の実現可能な形態において、前記節電信号が第２のシーケンスをさらに含み、ここで、前記第２のシーケンスは、前記端末デバイスに関連する識別情報のうちの少なくとも一部の識別情報を示す。
【００２８】
第１の態様又は第２の態様の実現可能な形態において、前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、前記第１のシーケンスが前記端末デバイスが位置するセルのＰＣＩ情報を示さない場合、前記第２のシーケンスが前記端末デバイスが位置するセルのＰＣＩ情報を示し、前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す。
【００２９】
第１の態様又は第２の態様の実現可能な形態において、前記第２のシーケンスは、ＺＣシーケンス、Ｍシーケンス又はＰＮシーケンスである。
【００３０】
第１の態様又は第２の態様の実現可能な形態において、前記第１のシーケンスが第１の時間領域リソースを占用し、前記第１のチャネルが第２の時間領域リソース、第３の時間領域リソース及び第４の時間領域リソースを占用し、前記第２のシーケンスが前記第３の時間領域リソースを占用する。前記第１の時間領域リソース、前記第２の時間領域リソース、前記第３の時間領域リソース及び前記第４の時間領域リソースは、時間領域において前から後に順に位置する。
【００３１】
第１の態様又は第２の態様の実現可能な形態において、前記第１のシーケンスが前記第１の時間領域リソースにおいて第１の周波数領域リソースを占用し、前記第１のチャネルが前記第２の時間領域リソース及び前記第４の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【００３２】
第１の態様又は第２の態様の実現可能な形態において、前記第１のシーケンスが第１の時間領域リソースを占用し、前記第１のチャネルが第２の時間領域リソースを占用し、前記第２のシーケンスが第３の時間領域リソースを占用する。前記第１の時間領域リソース、前記第２の時間領域リソース及び前記第３の時間領域リソースが、時間領域において前から後に順に位置する。
【００３３】
第１の態様又は第２の態様の実現可能な形態において、前記第１のシーケンスが前記第１の時間領域リソースにおいて第１の周波数領域リソースを占用し、前記第１のチャネルが前記第２の時間領域リソースにおいて前記第１の周波数領域リソースを占用し、前記第２のシーケンスが前記第３の時間領域リソースにおいて前記第１の周波数領域リソースを占用する。
【００３４】
第１の態様又は第２の態様の実現可能な形態において、前記第１のチャネルが前記第３の時間領域リソースをさらに占用する。前記第１のシーケンスが前記第１の時間領域リソースにおいて第１の周波数領域リソースを占用し、前記第１のチャネルが前記第２の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【００３５】
第１の態様又は第２の態様の実現可能な形態において、前記第１のシーケンスが第１の時間領域リソースを占用し、前記第２のシーケンスが第２の時間領域リソースを占用し、前記第１のチャネルが第３の時間領域リソースを占用する。前記第１の時間領域リソース、前記第２の時間領域リソース及び前記第３の時間領域リソースが、時間領域において前から後に順に位置する。
【００３６】
第１の態様又は第２の態様の実現可能な形態において、前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第３の時間領域リソースにおいて前記第１の周波数領域リソースを占用する。
【００３７】
第１の態様又は第２の態様の実現可能な形態において、前記第１のチャネルが前記第２の時間領域リソースをさらに占用する。前記第１のシーケンスが前記第１の時間領域リソースにおいて第１の周波数領域リソースを占用し、前記第２のシーケンスが前記第２の時間領域リソースにおいて第４の周波数領域リソースを占用し、前記第１のチャネルが前記第２の時間領域リソースにおいて第２の周波数領域リソースを占用し、前記第３の時間領域リソースにおいて第３の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【００３８】
第１の態様又は第２の態様の実現可能な形態において、前記第１のシーケンスが第１の時間領域リソースを占用し、前記第２のシーケンスが第２の時間領域リソースを占用し、前記第１のチャネルが前記第２の時間領域リソースを占用し、前記第２の時間領域リソースが前記第１の時間領域リソースの後に位置する。
【００３９】
第１の態様又は第２の態様の実現可能な形態において、前記第１のシーケンスが前記第１の時間領域リソースにおいて第１の周波数領域リソースを占用し、前記第１のチャネルが前記第２の時間領域リソースにおいて第２の周波数領域リソースを占用し、前記第２のシーケンスが前記第２の時間領域リソースにおいて第４の周波数領域リソースを占用する。前記第１の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第４の周波数領域リソースと前記第２の周波数領域リソースとの和が第３の周波数領域リソースであり、前記第１の周波数領域リソースの幅が前記第３の周波数領域リソースの幅以下である。
【００４０】
第１の態様又は第２の態様の実現可能な形態において、前記第１のチャネルが前記第１の時間領域リソースをさらに占用する。前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第１の時間領域リソース及び前記第２の時間領域リソースにおいてともに第２の周波数領域リソースを占用する。前記第２の周波数領域リソースが前記第１の周波数領域リソース両側に位置する等しい２つの周波数領域リソースを含み、前記第１の周波数領域リソースと前記第２の周波数領域リソースとの和が第３の周波数領域リソースである。
【００４１】
第１の態様又は第２の態様の実現可能な形態において、前記第１の周波数領域リソースが１２＋Ｐ個の物理リソースブロックＰＲＢを含み、前記第３の周波数領域リソースが２０個のＰＲＢを含み、前記第４の周波数領域リソースが１２個のＰＲＢを含み、前記第２の周波数領域リソースに含まれる前記第４の周波数領域リソース両側に位置する等しい２つ周波数領域リソースは、それぞれ４個のＰＲＢであり、Ｐが自然数である。
【００４２】
第１の態様又は第２の態様の実現可能な形態において、前記第１のシーケンスがプライマリ同期信号ＰＳＳであり、第２のシーケンスがセカンダリ同期信号ＳＳＳであり、前記第１のチャネルのチャネル構成が物理放送チャネルＰＢＣＨのチャネル構成と同じであり、前記第１のチャネルで搬送されるペイロードと前記ＰＢＣＨで搬送されるペイロードとが異なる。
【００４３】
第３の態様は、上記第１の態様又は第１の態様の任意の代替的な実装態様におけるネットワークデバイスの動作を実行することができるネットワークデバイスを提供する。具体的には、このネットワークデバイスは、上記の第１の態様または第１の態様の任意の可能な実装を実行するためのネットワークデバイスを含み得る。
【００４４】
第４の態様は、上記第２の態様又は第２の態様の任意の代替的な実装態様における端末デバイスの動作を実行することができる端末デバイスを提供する。具体的には、この端末デバイスは、上記の第２の態様または第２の態様の任意の可能な実装を実行するための端末デバイスを含み得る。
【００４５】
第５の態様は、プロセッサと、送受信機と、メモリとを備えるネットワークデバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第１の態様または第１の態様の任意の可能な実装態様における方法を実行させるか、または、ネットワークデバイスに、第３の態様によって提供されるネットワークデバイスを実現させる。
【００４６】
第６の態様は、プロセッサと、送受信機と、メモリとを備える端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第２の態様または第２の態様の任意の可能な実装態様における方法を実行させるか、または、端末デバイスに、第４の態様によって提供される端末デバイスを実現させる。
【００４７】
第７の態様は、入力インターフェースと、出力インターフェースと、プロセッサと、メモリとを含むシステムチップを提供し、プロセッサは、メモリに記憶された命令を実行し、プロセッサは、命令が実行されたときに、第１の態様または第１の態様の任意の可能な実装態様における方法を実装し得る。
【００４８】
第８の態様は、入力インターフェースと、出力インターフェースと、プロセッサと、メモリとを含むシステムチップを提供し、プロセッサは、メモリに記憶された命令を実行し、プロセッサは、命令が実行されたときに、第２の態様または第２の態様の任意の可能な実装態様における方法を実装し得る。
【００４９】
第９の態様は、命令を含むコンピュータプログラム製品を提供し、コンピュータプログラム製品がコンピュータ上で実行されると、コンピュータに、第１の態様または第１の態様の任意の可能な実装態様における方法を実行させる。
【００５０】
第１０の態様は、命令を含むコンピュータプログラム製品を提供し、コンピュータプログラム製品がコンピュータ上で実行されると、コンピュータに、第２の態様または第２の態様の任意の可能な実装態様における方法を実行させる。
【図面の簡単な説明】
【００５１】
【図１】本願の実施例が応用される可能な無線通信システムの模式図である。
【図２】ＤＲＸ周期の模式図である。
【図３】本願の実施例における節電信号の伝送方法のフローチャートである。
【図４】本願の実施例における第１のシーケンスの伝送の模式図である。
【図５】本願の実施例における第１のシーケンスの伝送の模式図である。
【図６】同期信号ブロックの構成図である。
【図７（ａ）】本願の実施例における節電信号の構成図である。
【図７（ｂ）】本願の実施例における節電信号の構成図である。
【図８（ａ）】本願の実施例における節電信号の構成図である。
【図８（ｂ）】本願の実施例における節電信号の構成図である。
【図８（ｃ）】本願の実施例における節電信号の構成図である。
【図９（ａ）】本願の実施例における節電信号の構成図である。
【図９（ｂ）】本願の実施例における節電信号の構成図である。
【図９（ｃ）】本願の実施例における節電信号の構成図である。
【図１０（ａ）】本願の実施例における節電信号の構成図である。
【図１０（ｂ）】本願の実施例における節電信号の構成図である。
【図１０（ｃ）】本願の実施例における節電信号の構成図である。
【図１１（ａ）】本願の実施例における節電信号の構成図である。
【図１１（ｂ）】本願の実施例における節電信号の構成図である。
【図１２】本願の実施例におけるネットワークデバイスのブロック図である。
【図１３】本願の実施例における端末デバイスのブロック図である。
【図１４】本願の実施例における通信デバイスの構成図である。
【図１５】本願の実施例におけるシステムチップの構成図である。
【発明を実施するための形態】
【００５２】
本願実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ （ ＧＳＭ )方式、Ｃｏｄｅ Ｄｉｖｉｓｉｏｎ Ｍｕｌｔｉｐｌｅ Ａｃｃｅｓｓ （ ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )方式、Ｇｅｎｅｒａｌ Ｐａｃｋｅｔ Ｒａｄｉｏ Ｓｅｒｖｉｃｅ （ ＧＰＲＳ )方式、Ｌｏｎｇ Ｔｅｒｍ Ｅｖｏｌｕｔｉｏｎ （ ＬＴＥ )方式、Ｆｒｅｑｕｅｎｃｙ Ｄｉｖｉｓｉｏｎ Ｄｕｐｌｅｘ （ ＦＤＤ ）方式、Ｔｉｍｅ Ｄｉｖｉｓｉｏｎ Duplex ( TDD )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ ）方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、将来の５Ｇ方式等の移動通信システム、あるいは、これらを組み合わせた通信システム等に適用することができる。
【００５３】
図１は、本願の実施例が適用される１つの可能な無線通信システム１００を示す。無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレージを提供し得、そのカバレージ内に位置する端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、ＮＲシステムにおけるネットワーク側装置、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、次世代ネットワークにおけるネットワーク側装置、または将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５４】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。このとき、任意選択的に、端末デバイス１２０間の端末直接接続( Ｄｅｖｉｃｅ ｔｏ Ｄｅｖｉｃｅ、Ｄ２Ｄ )通信も行われてもよい。
【００５５】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５６】
任意選択で、無線通信システム１００は、ネットワークコントローラ、モビリティ管理エンティティなどの他のネットワークエンティティをさらに含むことができ、本願の実施例はこれに限定されない。
【００５７】
端末デバイスのＤＲＸ周期( ＤＲＸ Ｃｙｃｌｅ )には、活性化期間( Ｏｎ ｄｕｒａｔｉｏｎ )と休止期間( Ｏｐｐｏｒｔｕｎｉｔｙ ｆｏｒ ＤＲＸ )が含まれ、例えば、図２に示すように、端末デバイスは、活性化期間内、すなわちＯｎ ｄｕｒａｔｉｏｎの期間内に物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を検出することができ、端末デバイスは、休止期間内、すなわちＯｐｐｏｒｔｕｎｉｔｙ ｆｏｒ ＤＲＸの期間内にＰＤＣＣＨの受信を停止することにより(この場合、端末デバイスは、ＰＤＣＣＨ又はページングメッセージのブラインド検出を停止する)、電力消費を低減し、バッテリ使用時間を向上させることができる。つまり、端末デバイスは、活性化期間では、ウェイクアップ状態にありＰＤＣＣＨを検出し、休止期間では、休止状態にありチャネルや信号の検出を行わない。
【００５８】
ネットワークは、端末デバイスが活性化期間中にＰＤＣＣＨを周期的に検出するようにＤＲＸ周期を端末デバイスに構成するが、端末デバイスは活性化期間中にスケジューリングされる機会があるのみであり、サービス負荷が低い場合でも少数のＤＲＸ周期でしかスケジューリングされない。ＤＲＸメカニズムを採用するページングメッセージの場合、端末デバイスがページングメッセージを受信する機会は少ない。従って、端末デバイスは、ＤＲＸメカニズムが構成された後、ほとんどのＤＲＸ周期の活性化期間において制御チャネルを検出することができないが、これらのＤＲＸの活性化期間において依然としてウェイクアップすることがあり、これは、端末デバイスの不要な電力消費を増加させる。
【００５９】
そこで、５Ｇシステムでは、端末デバイスのウェイクアップ状態及び休止状態を制御して節電化を図るための節電信号が導入されている。この節電信号は、端末デバイスの消費電力を低減するために、端末デバイスのウェイクアップ状態及び休止状態を制御するために用いられる。例えば、この節電信号は、端末デバイスがＤＲＸ周期内の「活性化期間」内にウェイクアップすることを示すウェイクアップ信号であり得、端末デバイスは、このウェイクアップ信号を検出すると、その後の１つ以上の「活性化期間」内にウェイクアップしてＰＤＣＣＨを検出し、端末デバイスは、このウェイクアップ信号を検出しないと、その後の１つ以上の活性化期間内に休止状態を維持しＰＤＣＣＨ検出を行わなく、あるいは、この節電信号は、ＤＲＸ周期内の「活性化期間」にわたって端末デバイスが休止状態であることを示すために使用され、端末デバイスは、このウェイクアップ信号が検出されない場合、その後の１つ以上の「活性化期間」にわたって通常はウェイクアップしてＰＤＣＣＨを検出し、端末デバイスは、このウェイクアップ信号が検出した場合、その後の１つ以上の活性化期間にわたって休止状態を維持してＰＤＣＣＨ検出を行わなくても良い。このような指示情報は端末デバイスの節電化に寄与するため、節電信号( Ｐｏｗｅｒ Ｓａｖｉｎｇ Ｓｉｇｎａｌ )と呼ばれる。
【００６０】
そこで、本願の実施例では、節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができ、さらに、この第１のシーケンスは、時間周波数同期や測定等の機能を有することもでき、節電信号の機能を大幅に向上させて、端末デバイスの消費電力を更に低減することができる。
【００６１】
図３は本願の実施例における信号伝送方法３００のフローチャートである。図３に示す端末デバイスは、例えば、図１に示す端末デバイス１２０であってもよい。図３に示すネットワークデバイスは、例えば、図１に示すネットワークデバイス１１０であってもよい。図３に示すように、該信号伝送方法３００は、以下の少なくとも一部を含む。
【００６２】
３１０において、ネットワークデバイスが端末デバイスに節電信号を送信する。
【００６３】
３２０において、該端末デバイスが該ネットワークデバイスにより送信された該節電信号を受信する。
【００６４】
ここで、該節電信号が第１のシーケンスを含み、該第１のシーケンスが該端末デバイスに関連する識別情報のうちの少なくとも一部の識別情報を示し、及び／又は、該第１のシーケンスが、該端末デバイスが時間周波数同期を行うために使用される。
【００６５】
ここで、該端末デバイスに関連する該識別情報は、該端末デバイスが属するデバイスグループの識別子、該端末デバイスのデバイス識別子（ＵＥ Ｉｄｅｎｔｉｆｙ、ＵＥ ＩＤ）、及び該端末デバイスが位置するセルの物理セル識別子（Ｐｈｙｓｉｃａｌ Ｃｅｌｌ Ｉｄｅｎｔｉｆｉｃａｔｉｏｎ、ＰＣＩ）情報を含む。
【００６６】
任意選択で、該第１のシーケンスは、Ｚａｄｏｆｆ−Ｃｈｕ（ＺＣ）シーケンス、Ｍシーケンス、又は疑似雑音シーケンス（Ｐｓｅｕｄｏ Ｎｏｉｓｅ Ｓｅｑｕｅｎｃｅ、ＰＮシーケンス）であってもよい。
【００６７】
３３０において、該端末デバイスが該節電信号に基づいて節電動作を行う。
【００６８】
ここで、任意選択で、該第１のシーケンスが該端末デバイスのＰＣＩ情報を示す場合、該第１のシーケンスが、また、該端末デバイスが無線リソース管理（Ｒａｄｉｏ Ｒｅｓｏｕｒｃｅ Ｍａｎａｇｅｍｅｎｔ、ＲＲＭ）測定を行うために使用される。
【００６９】
具体的には、ネットワークデバイスが端末デバイスに節電信号を送信し、この該節電信号は、端末デバイスの消費電力を低減するために、端末デバイスのウェイクアップ及び/又は休止状態を制御し、端末デバイスは、この節電信号を受信すると、この節電信号の指示に基づいて、ウェイクアップ及び/又は休止の動作である省電力動作を実行する。例えば、節電信号が、端末デバイスが、その後の１又は複数のＤＲＸ周期における活性化期間内の一部又は全部においてウェイクアップ又は休止することを示す場合、端末デバイスは、節電信号を受信すると、節電信号の指示に従って、対応する節電動作を実行することができ、即ち、これにより、その後の１又は複数のＤＲＸ周期における活性化期間内の一部又は全部においてウェイクアップ又は休止することができる。該節電信号が第１のシーケンスを含み、該第１のシーケンスに該端末デバイスに関連する識別情報のうちの少なくとも一部の識別情報が含まれる。さらに、任意選択で、該第１のシーケンスは、さらに、該端末デバイスが時間周波数同期を行うために用いられる。第１のシーケンスは、端末デバイスが位置するするセルのＰＣＩ情報を含む場合、端末デバイスがＲＲＭ測定を行うためにも使用され得る。該端末デバイスは、該節電信号を受信した場合に、該第１のシーケンスに含まれる識別情報に基づいて、該節電信号が端末デバイスに対するものであるか否かを判定することができる。該節電信号が該端末デバイスに対する節電信号である場合、該端末デバイスは、該節電信号に応じて、対応する節電動作を行う。該第１のシーケンスが端末デバイスが時間周波数同期を行うために使用される場合、該端末デバイスが節電信号に基づく時間周波数同期等も行うことができる。該第１のシーケンスが端末デバイスがＲＲＭ測定を行うために使用される場合、該端末デバイスは、該第１のシーケンスに基づいてＲＲＭ測定を行うこともできる。
【００７０】
そこで、本願の実施例では、節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができ、さらに、この第１のシーケンスは、時間周波数同期や測定等の機能を有することもでき、節電信号の機能を大幅に向上させて、端末デバイスの消費電力を更に低減することができる。
【００７１】
接続状態にある端末デバイスについて、端末デバイスがネットワークデバイスと時間周波数同期を行ったため、該節電信号が時間周波数同期の機能を有しなくてもよい。この場合、該第１のシーケンスは、端末デバイスのデバイスグループの情報又はＵＥ ＩＤのみを含んでんもよい。
【００７２】
該第１のシーケンスが該端末デバイスが位置するセルのＰＣＩ情報をさらに含む場合、セルの間で異なる節電信号の相互の影響を回避することができる。
【００７３】
該第１のシーケンスが該端末デバイスに関連する識別情報のうちの少なくとも一部の識別情報を示し場合、本願の実施例は、以下の５つのタイプの第１のシーケンスを提供する。
【００７４】
タイプ１
該第１のシーケンスは、該端末デバイスが属するデバイスグループの識別子を示す。
【００７５】
この場合、Ｍ個のデバイスグループが存在する場合、該Ｍ個のデバイスグループがＭ個の第１のシーケンスに一対一対応し、該節電信号に含まれる該第１のシーケンスは、該Ｍ個のデバイスグループにおける該端末デバイスが属するデバイスグループに対応する第１のシーケンスであり、Ｍが正の整数である。
【００７６】
任意選択で、該Ｍ個の第１のシーケンスのサイクリックシフトが異なり、該Ｍ個の第１のシーケンスの初期値が異なり、該Ｍ個の第１のシーケンスをスクランブルするためのスクランブルコードが異なり、該Ｍ個の第１のシーケンスを伝送する時間領域リソースの位置が異なり、又は該Ｍ個の第１のシーケンスがＭ個の直交シーケンスである。
【００７７】
つまり、Ｍ個の異なる第１のシーケンスを利用してＭ個のデバイスグループを識別することができる。例えば、Ｍ個のサイクリックシフトが異なる第１のシーケンスを利用してＭ個のデバイスグループを識別し、Ｍ個の初期値が異なる第１のシーケンスを利用してＭ個のデバイスグループを識別し、Ｍ個の異なるスクランブルコードでスクランブルする第１のシーケンスを利用してＭ個のデバイスグループを識別し、Ｍ個の直交する第１のシーケンスを利用してＭ個のデバイスグループを識別する。
【００７８】
例えば、該第１のシーケンスがデバイスグループの識別子を示す方式は、ＬＴＥ又はＮＲシステムにおいてプライマリ同期信号（Ｐｒｉｍａｒｙ Ｓｙｎｃｈｒｏｎｉｚａｔｉｏｎ Ｓｉｇｎａｌ、ＰＳＳ）がＰＣＩ情報を示す方式と同様である。第１のシーケンスがＰＮシーケンスである場合、初期値が異なる方式を利用しても良い。
【００７９】
又は、第１のシーケンスの伝送時間領域位置によって、異なるデバイスグループを示しても良い。例えば、図４に示すように、ネットワークデバイスが時間領域リソース位置１において伝送される第１のシーケンスは、デバイスグループ１の端末デバイスを示し、ネットワークデバイスが時間領域リソース位置２において伝送される第１のシーケンスは、デバイスグループ２の端末デバイスを示し、ネットワークデバイスが時間領域リソース位置３において伝送される第１のシーケンスは、デバイスグループ３の端末デバイスを示す。
【００８０】
任意選択で、端末デバイスが属するデバイスグループは、端末デバイスのＵＥ−ＩＤ又は端末デバイスのアクセスレベルによって決定される。
【００８１】
タイプ２
該第１のシーケンスは、該端末デバイスのデバイス識別子ＵＥ ＩＤを示す。
【００８２】
ここで、Ｎ個の異なるデバイス識別子がＮ個の第１のシーケンスに一対一対応し、該節電信号に含まれる該第１のシーケンスは、該Ｎ個の第１のシーケンスにおける該端末デバイスのデバイス識別子に対応する第１のシーケンスであり、Ｎが正の整数である。
【００８３】
任意選択で、該Ｎ個の第１のシーケンスのサイクリックシフトが異なり、該Ｎ個の第１のシーケンスの初期値が異なり、該Ｎ個の第１のシーケンスをスクランブルするためのスクランブルコードが異なり、該Ｎ個の第１のシーケンスを伝送する時間領域リソースの位置が異なり、又は該Ｎ個の第１のシーケンスがＮ個の直交シーケンスである。
【００８４】
つまり、Ｎ個の異なる第１のシーケンスを利用してＮ個の異なる端末デバイスを識別することができる。例えば、Ｎ個のサイクリックシフトが異なる第１のシーケンスを利用してＮ個の端末デバイスを識別し、Ｎ個の初期値が異なる第１のシーケンスを利用してＮ個の端末デバイスを識別し、Ｎ個の異なるスクランブルコードでスクランブルする第１のシーケンスを利用してＮ個の端末デバイスを識別し、Ｎ個の直交する第１のシーケンスを利用してＮ個の端末デバイスを識別する。
【００８５】
例えば、該第１のシーケンスがＵＥ ＩＤを示す方式は、ＬＴＥ又はＮＲシステムにおいてＰＳＳがＰＣＩ情報を示す方式と同様である。第１のシーケンスがＰＮシーケンスである場合、初期値が異なる方式を利用しても良い。
【００８６】
タイプ３
該第１のシーケンスは、該端末デバイスが位置するセルのＰＣＩ情報を示す。
【００８７】
ここで、Ｋ個のＰＣＩ情報が存在する場合、Ｋ個の異なるＰＣＩ情報がＫ個の第１のシーケンスに一対一対応し、該節電信号に含まれる第１のシーケンスは、該Ｋ個の第１のシーケンスにおける該端末デバイスが位置するセルのＰＣＩ情報に対応する第１のシーケンスであり、Ｋが正の整数である。
【００８８】
任意選択で、端末デバイスが位置するセルのＰＣＩ情報は、該端末デバイスが位置するセルのＰＣＩが属するＰＣＩグループの識別子、又は、該端末デバイスが位置するセルのＰＣＩ、ここで、ＰＣＩ ｍｏｄ Ｋの値が等しいＰＣＩが同一のＰＣＩグループに属する。
【００８９】
該第１のシーケンスには、該端末デバイスが位置するセルのＰＣＩが属するＰＣＩグループの識別子が搬送され、又は、該端末デバイスが位置するセルのＰＣＩが直接に搬送される。第１のシーケンスの本体に該ＰＣＩ情報が搬送されない場合、Ｋタイプの時間領域位置によってこの部分の情報を示すことができる。
【００９０】
例えば、該第１のシーケンスに該端末デバイスが位置するセルのＰＣＩが属するＰＣＩグループの識別子が搬送され、Ｋが３である場合、ＰＣＩ ｍｏｄ ３の値が等しいＰＣＩが同一のＰＣＩグループに属し、位置するセルのＰＣＩが同じＰＣＩグループに属する端末デバイスが、同じ第１のシーケンスに対応する。この時、ネットワークデバイスが第１のシーケンスでＰＣＩ=４であるセルを示す必要がある場合、該第１のシーケンスに搬送されるＰＣＩ情報が示すＰＣＩグループの識別子が、４ ｍｏｄ ３=１であり、ネットワークデバイスが第１のシーケンスでＰＣＩ=５であるセルを示す必要がある場合、該第１のシーケンスに含まれるＰＣＩ情報が示すＰＣＩグループの識別子が、５ ｍｏｄ ３=２であり、ネットワークデバイスが第１のシーケンスでＰＣＩ=６であるセルを示す必要がある場合、該第１のシーケンスに搬送されるＰＣＩ情報が示すＰＣＩグループの識別子が、６ ｍｏｄ ３=０である。
【００９１】
任意選択で、該Ｋ個の第１のシーケンスのサイクリックシフトが異なり、該Ｋ個の第１のシーケンスの初期値が異なり、該Ｋ個の第１のシーケンスをスクランブルするためのスクランブルコードが異なり、該Ｋ個の第１のシーケンスを伝送する時間領域リソースの位置が異なり、又は該Ｋ個の第１のシーケンスがＫ個の直交シーケンスである。
【００９２】
つまり、Ｋ個の異なる第１のシーケンスを利用してＫ個の異なるＰＣＩ情報を識別することができる。例えば、Ｋ個のサイクリックシフトが異なる第１のシーケンスを利用してＫ個のＰＣＩ情報を識別し、Ｋ個の初期値が異なる第１のシーケンスを利用してＫ個のＰＣＩ情報を識別し、Ｋ個の異なるスクランブルコードでスクランブルされる第１のシーケンスを利用してＫ個のＰＣＩ情報を識別し、Ｋ個の直交する第１のシーケンスを利用してＫ個のＰＣＩ情報を識別する。
【００９３】
例えば、該第１のシーケンスがＰＣＩ情報を示す方式は、ＬＴＥ又はＮＲシステムにおいてＰＳＳがＰＣＩ情報を示す方式と同様である。第１のシーケンスがＰＮシーケンスである場合、初期値が異なる方式を利用しても良い
又は、第１のシーケンスの伝送時間領域位置によって、異なるＰＣＩ情報を示しても良い。例えば、図５に示すように、ネットワークデバイスが時間領域リソース位置１において伝送される第１のシーケンスは、ＰＣＩグループ１を示し、ネットワークデバイスが時間領域リソース位置２において伝送される第１のシーケンスは、ＰＣＩグループ２を示し、ネットワークデバイスが時間領域リソース位置３において伝送される第１のシーケンスは、ＰＣＩグループ３を示す。
【００９４】
タイプ４
該第１のシーケンスは、該端末デバイスが属するデバイスグループの識別子、及び該端末デバイスが位置するセルのＰＣＩ情報を示す。
【００９５】
この場合、第１のシーケンスがデバイスグループ及びＰＣＩ情報を示し、Ｍ個の異なるデバイスグループ及びＫ個の異なるＰＣＩ情報が存在する場合、Ｍ×Ｋ個の異なる識別情報がＭ×Ｋ個の第１のシーケンスに一対一対応し、該節電信号に含まれる該第１のシーケンスは、該Ｍ×Ｋ個の第１のシーケンスにおける該端末デバイスの該識別情報に対応する第１のシーケンスである。
【００９６】
任意選択で、該Ｍ×Ｋ個の第１のシーケンスのサイクリックシフトが異なり、該Ｍ×Ｋ個の第１のシーケンスの初期値が異なり、該Ｍ×Ｋ個の第１のシーケンスをスクランブルするためのスクランブルコードが異なり、Ｍ×Ｋ個の第１のシーケンスを伝送する時間領域リソースの位置が異なり、又は該Ｍ×Ｋ個の第１のシーケンスがＭ×Ｋ個の直交シーケンスである。
【００９７】
端末デバイスが位置するセルのＰＣＩ情報が同じである場合、属するデバイスグループが異なる可能性があり、又は、該端末デバイスが位置するセルのＰＣＩ情報が異なるが、属するデバイスグループが同じであり、又は、該端末デバイスが位置するセルのＰＣＩ情報と属するデバイスグループがともに異なる。この場合、Ｍ×Ｋ個の異なる第１のシーケンスを利用してＭ×Ｋグループの異なる識別情報を区別する必要があり、即ち、Ｍ×Ｋ個の異なる第１のシーケンスを利用してＭ×Ｋグループの異なる識別情報を識別する。例えば、Ｍ×Ｋ個のサイクリックシフトが異なる第１のシーケンスを利用してＭ×Ｋグループの異なる識別情報を識別し、Ｍ×Ｋ個の初期値が異なる第１のシーケンスを利用してＭ×Ｋグループの異なる識別情報を識別し、Ｍ×Ｋ個の異なるスクランブルコードでスクランブルされる第１のシーケンスを利用してＭ×Ｋグループの異なる識別情報を識別し、Ｍ×Ｋ個の直交する第１のシーケンスを利用してＭ×Ｋグループの異なる識別情報を識別し、又は、第１のシーケンスの伝送時間領域位置によって、異なる識別情報を識別する。
【００９８】
タイプ５
該第１のシーケンスは、該端末デバイスのＵＥ ＩＤ、及び該端末デバイスが位置するセルのＰＣＩ情報を示す。
【００９９】
この場合、第１のシーケンスがＵＥ ＩＤ及びＰＣＩ情報をともに示し、Ｎ個の異なるＵＥ ＩＤ及びＫ個の異なるＰＣＩ情報が存在する場合、Ｎ×Ｋ個の異なる識別情報がＮ×Ｋ個の第１のシーケンスに一対一対応し、該節電信号に含まれる該第１のシーケンスは、該Ｎ×Ｋ個の第１のシーケンスにおける該端末デバイスの該識別情報に対応する第１のシーケンスである。
【０１００】
任意選択で、該Ｎ×Ｋ個の第１のシーケンスのサイクリックシフトが異なり、該Ｎ×Ｋ個の第１のシーケンスの初期値が異なり、該Ｎ×Ｋ個の第１のシーケンスをスクランブルするためのスクランブルコードが異なり、Ｎ×Ｋ個の第１のシーケンスを伝送する時間領域リソースの位置が異なり、又は該Ｎ×Ｋ個の第１のシーケンスがＮ×Ｋ個の直交シーケンスである。
【０１０１】
端末デバイスが位置するセルのＰＣＩ情報が同じである場合、そのＵＥ ＩＤが異なる可能性があり、又は、該端末デバイスが位置するセルのＰＣＩ情報及びそのＵＥ ＩＤはともに異なる。この場合、Ｎ×Ｋ個の異なる第１のシーケンスを利用してＮ×Ｋグループの異なる識別情報を区別する必要があり、即ち、Ｎ×Ｋ個の異なる第１のシーケンスを利用してＮ×Ｋグループの異なる識別情報を識別する。例えば、Ｎ×Ｋ個のサイクリックシフトが異なる第１のシーケンスを利用してＮ×Ｋグループの異なる識別情報を識別し、Ｎ×Ｋ個の初期値が異なる第１のシーケンスを利用してＮ×Ｋグループの異なる識別情報を識別し、Ｎ×Ｋ個の異なるスクランブルコードでスクランブルされる第１のシーケンスを利用してＮ×Ｋグループの異なる識別情報を識別し、Ｎ×Ｋ個の直交する第１のシーケンスを利用してＮ×Ｋグループの異なる識別情報を識別し、又は、第１のシーケンスの伝送時間領域位置によって、異なる識別情報を区別する。
【０１０２】
任意選択で、本願の実施例において、該節電信号が第１のチャネルを含む。ここで、該第１のチャネルは、該端末デバイスが属するデバイスグループの識別子又は該端末デバイスのＵＥ ＩＤを示すために使用される。
【０１０３】
該第１のチャネルは、データ（ｄａｔａ）部分(例えば、１つ以上のＤＲＸ周期の活性化期間内の全て又は一部の時間において端末デバイスがウェイクアップしているか又は休止中であるかを示す指示情報を含む)及びそのパイロットを搬送し得る。任意選択で、端末デバイスが位置するセルのＰＣＩに基づいてパイロットを生成してもよい。物理チャネルを用いて節電情報を搬送するため、シーケンスを用いるよりも、情報を搬送することが容易になる。
【０１０４】
例えば、該第１のシーケンスが該端末デバイスが属するデバイスグループの識別子又は該端末デバイスのデバイス識別子を示さない場合、該第１のチャネルが該端末デバイスが属するデバイスグループの識別子又は該端末デバイスのデバイス識別子を示すことができる。
【０１０５】
つまり、該第１のチャネルは、該端末デバイスに関連する識別情報のうちの少なくとも一部の識別情報を搬送することができる。
【０１０６】
任意選択で、該第１のチャネルは、さらに、該端末デバイスが使用する帯域幅部分（Ｂａｎｄｗｉｄｔｈ Ｐａｒｔ、ＢＷＰ）の情報（例えば、ＢＷＰ活性化情報）及び／又は物理下り制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）探索空間（ｓｅａｒｃh ｓｐａｃｅ）の構成情報を示すことができる。
【０１０７】
任意選択で、本願の実施例において、該節電信号が第２のシーケンスを含む。ここで、該第２のシーケンスは、該端末デバイスに関連する識別情報のうちの少なくとも一部の識別情報を示すことができる。
【０１０８】
任意選択で、該第２のシーケンスは、ＺＣシーケンス、Ｍシーケンス又はＰＮシーケンスである。
【０１０９】
例えば、該第１のシーケンス及び／又は該第１のチャネルが該端末デバイスが属するデバイスグループの識別子又は該端末デバイスのデバイス識別子を示さない場合、該第２のシーケンスが該端末デバイスが属するデバイスグループの識別子又は該端末デバイスのデバイス識別子を示す。
【０１１０】
該節電信号が第１のシーケンス及び第２のシーケンスを含み、該第１のシーケンスに該端末デバイスが属するデバイスグループの識別子又は該端末デバイスのデバイス識別子が搬送せず、該第２のシーケンスが該端末デバイスが属するデバイスグループの識別子又は該端末デバイスのデバイス識別子を示し、この場合、該第１のシーケンスは、例えば、時間周波数同期を行い、又は、ＰＣＩ情報が搬送されてＲＲＭ測定を行うために使用される。
【０１１１】
該節電信号が第１のシーケンス、第１のチャネル及び第２のシーケンスを含む場合、該第１のシーケンスと該第１のチャネルとも該端末デバイスが属するデバイスグループの識別子又は該端末デバイスのデバイス識別子が搬送せず、該第２のシーケンスに該端末デバイスが属するデバイスグループの識別子又は該端末デバイスのデバイス識別子が搬送され、この場合、該第１のシーケンスは、例えば、時間周波数同期を行い、又は、ＰＣＩ情報が搬送されてＲＲＭ測定を行うために使用される。
【０１１２】
つまり、本願の実施例において、節電信号に含まれる端末デバイスのデバイスグループの識別子又は端末デバイスのデバイス識別子は、第１のシーケンス、第１のチャネル及び第２のシーケンスのいずれかに搬送されてもよい。
【０１１３】
また、例えば、該第１のシーケンスが該端末デバイスが位置するセルのＰＣＩ情報を示さない場合、該第２のシーケンスが該端末デバイスが位置するセルのＰＣＩ情報を示す。
【０１１４】
該節電信号が第１のシーケンス及び第２のシーケンスを含み、又は、第１のシーケンス、第１のチャネル及び第２のシーケンスを含み、該第１のシーケンスが端末デバイスが位置するセルのＰＣＩ情報を示さない場合、該第２のシーケンスが該端末デバイスが位置するセルのＰＣＩ情報を示すことができる。
【０１１５】
また、例えば、、該第１のシーケンスが該端末デバイスが位置するセルのＰＣＩ情報のうちの一部のＰＣＩ情報を示す場合、該第２のシーケンスが該端末デバイスが位置するセルのＰＣＩ情報のうちの他のＰＣＩ情報を示す。
【０１１６】
該節電信号が第１のシーケンス及び第２のシーケンスを含み、又は、第１のシーケンス、第１のチャネル及び第２のシーケンスを含み、該第１のシーケンスが該端末デバイスが位置するセルのＰＣＩ情報のうちの一部のＰＣＩ情報を示す場合、該第２のシーケンスが、該端末デバイスが位置するセルのＰＣＩ情報のうちの該一部のＰＣＩ情報以外のＰＣＩ情報を示すことができる。
【０１１７】
ここで、該第１のシーケンスが示す該端末デバイスが位置するセルの該一部のＰＣＩ情報は、該端末デバイスが位置するセルのＰＣＩが属するＰＣＩグループの情報であってもよく、ここで、ＰＣＩ ｍｏｄ Ｋの値が等しいＰＣＩが同一のＰＣＩグループに属する。この場合、該第２のシーケンスが示す該端末デバイスが位置するセルのＰＣＩ情報のうちの他のＰＣＩ情報は、該端末デバイスが位置するセルが属するＰＣＩグループにおいて対応する値であってもよい。なお、第１のシーケンスが示す一部のＰＣＩ情報がＰＣＩ ｍｏｄ Ｋであり、第２のシーケンスが示す一部のＰＣＩ情報の値にＫが乗算したものにＰＣＩ ｍｏｄ Ｋを加算し、即ち、該端末デバイスが位置するセルの実際のＰＣＩである。
【０１１８】
例えば、Ｋ=３、該第１のシーケンスが示すＰＣＩ情報が該端末デバイスが位置するセルのＰＣＩが属するＰＣＩグループの識別子であり、ＰＣＩ ｍｏｄ ３の値が等しいＰＣＩが同一のＰＣＩグループに属する場合、ＰＣＩ ｍｏｄ ３=０のＰＣＩが１つのＰＣＩグループが属し、ＰＣＩ ｍｏｄ ３=１のＰＣＩが１つのＰＣＩグループに属し、ＰＣＩ ｍｏｄ ３=２のＰＣＩが１つのＰＣＩグループに属する。
【０１１９】
該第２のシーケンスが０を示し、該第１のシーケンスがＰＣＩ ｍｏｄ ３=０を示す場合、該端末デバイスが位置するセルのＰＣＩが０×３+０=０であり、該第１のシーケンスがＰＣＩ ｍｏｄ ３=１を示す場合、該端末デバイスが位置するセルのＰＣＩが０×３+１=１であり、該第１のシーケンスがＰＣＩ ｍｏｄ ３=２を示す場合、該端末デバイスが位置するセルのＰＣＩが０×３+２=２である。
【０１２０】
該第２のシーケンスが１を示し、該第１のシーケンスがＰＣＩ ｍｏｄ ３=０を示す場合、該端末デバイスが位置するセルのＰＣＩが１×３+０=３であり、該第１のシーケンスがＰＣＩ ｍｏｄ ３=１を示す場合、該端末デバイスが位置するセルのＰＣＩが１×３+１=４であり、該第１のシーケンスがＰＣＩ ｍｏｄ ３=２を示す場合、該端末デバイスが位置するセルのＰＣＩが１×３+２=５である。
【０１２１】
該第２のシーケンスが２を示し、該第１のシーケンスがＰＣＩ ｍｏｄ ３=０を示す場合、該端末デバイスが位置するセルのＰＣＩが２×３+０=６であり、該第１のシーケンスがＰＣＩ ｍｏｄ ３=１を示す場合、該端末デバイスが位置するセルのＰＣＩが２×３+１=７であり、該第１のシーケンスがＰＣＩ ｍｏｄ ３=２を示す場合、該端末デバイスが位置するセルのＰＣＩが２×３+２=８である。
【０１２２】
そして、該端末デバイスは、第１のシーケンス及び第２のシーケンスに基づいて、該節電信号がどのセルを示すことを識別することができる。
【０１２３】
任意選択で、本願の実施例において、該第１のシーケンスがプライマリ同期信号ＰＳＳ、第２のシーケンスがセカンダリ同期信号（Ｓｅｃｏｎｄａｒｙ Ｓｙｎｃｈｒｏｎｉｚａｔｉｏｎ Ｓｉｇｎａｌ、ＳＳＳ）であってもよい。
【０１２４】
任意選択で、該第１のチャネルのチャネル構成が物理放送チャネル（Ｐｈｙｓｉｃａｌ Ｂｒｏａｄｃａｓｔ Ｃｈａｎｎｅｌ、ＰＢＣＨ）のチャネル構成と同じ、該第１のチャネルに搬送されるペイロード（ｐａｙｌｏａｄ）が該ＰＢＣＨに搬送されるペイロードと異なる。
【０１２５】
なお、該第１のチャネルによって搬送されるペイロードがＰＢＣＨによって搬送されるペイロードと異なることは、第１のチャネルのｐａｙ ｌｏａｄフィールド上で搬送される情報のコンテンツがＰＢＣＨのｐａｙ ｌｏａｄフィールド上で搬送される情報のコンテンツと異なること、及び/又は、第１のチャネルのｐａｙｌｏａｄフィールドのサイズ(すなわち、ビット数)がＰＢＣＨのｐａｙ ｌｏａｄフィールドのサイズと異なることを意味し得る。
【０１２６】
例えば、ＰＢＣＨチャネルのペイロードは、主に、システムフレーム番号( Ｓｙｓｔｅｍ Ｆｒａｍｅ Ｎｕｍｂｅｒ、ＳＦＮ )、ＳＳＢインデックス( ＳＳＢ ｉｎｄｅｘ )などの情報を含む放送情報である。この第１チャネルのペイロードは、端末デバイスに節電指示を行うための指示情報(例えば、端末デバイスのウェイクアップ又は休止を指示する)を主に含み、任意選択で、当該ペイロードは、当該端末デバイスが使用するＢＷＰの情報(例えば、ＢＷＰ活性化情報)及び/又はＰＤＣＣＨ探索空間の構成情報を更に含んでもよい。この第１のチャネルは、ここでは、単に、節電指示( Ｐｏｗｅｒ Ｓａｖｉｎｇ Ｉｎｄｉｃａｔｉｏｎ，ＰＳＩ )と呼ばれることがある。
【０１２７】
該節電信号が示す情報の内容は、図３〜図５を参照して上述したものであり、該節電信号のチャンネル構成は、図６〜図１１を参照して後述する。
【０１２８】
既存の規格への影響を低減するために、本願実施例の節電信号の構成は、全部又は一部が同期信号ブロック( Ｓｙｎｃｈｒｏｎｉｚｉｎｇ Ｓｉｇｎａｌ Ｂｌｏｃｋ、ＳＳＢ、ＳＳ Ｂｌｏｃｋ )の構成を多重化することで、既存の規格への影響を低減しつつ、端末デバイスの実装における余分な複雑性を低減する。
【０１２９】
図６は４つの時間領域シンボルを含む同期信号ブロックの概略図であり、ここで、１番目のシンボルで１２のＰＲＢを占用するＰSS信号を伝送し、２番目の時間領域シンボルおよび４番目の時間領域シンボルは、２０個のＰＲＢを占用するＰＢＣＨを伝送し、３番目の時間領域シンボル上で、中央の１２個のＰＲＢはＳＳＳを伝送し、両側の各４個のＰＲＢはＰＢＣＨを伝送し、ここで、ＰＢＣＨの復調パイロットは、ＰＢＣＨの復調基準信号( Ｄｅｍｏｄｕｌａｔｉｏｎ Ｒｅｆｅｒｅｎｃｅ Ｓｉｇｎａｌ、ＤＭＲＳ )である。
【０１３０】
以下、本願の実施例におけるいくつかの典型な節電信号の構成を説明する。以下の第１の時間領域リソース、第２の時間領域リソース、第３の時間領域リソース及び第４の時間領域リソースは、時間領域において前から後に順に位置する。任意選択で、第１の時間領域リソース、第２の時間領域リソース、第３の時間領域リソース及び第４の時間領域リソースは、長さが同じである。特に、第１の時間領域リソース、第２の時間領域リソース、第３の時間領域リソース及び第４の時間領域リソースは、連続する４つの時間領域シンボルであってもよい。
【０１３１】
例えば、該第１の時間領域リソースが、図６の１番目の時間領域シンボルに対応し、該第２の時間領域リソースが、例えば、図６の２番目の時間領域シンボルに対応し、該第３の時間領域リソースが、例えば、図６の３番目の時間領域シンボルに対応し、該第４の時間領域リソースが、例えば、図６の４番目の時間領域シンボルに対応する。
【０１３２】
任意選択で、以下の第１の周波数領域リソース、第２の周波数領域リソース、第３の周波数領域リソース及び第４の周波数領域リソースにおいて、第１の周波数領域リソース、第３の周波数領域リソース及び第４の周波数領域リソースの中心周波数ポイントが同じであり、第２の周波数領域リソースは、第４の周波数領域リソース両側に位置する等しい２つの周波数領域リソースを含み、該第３の周波数領域リソースは、該第２の周波数領域リソース及び該第４の周波数領域リソースを含み、該第１の周波数領域リソースの幅が該第３の周波数領域リソースの幅以下である。
【０１３３】
例えば、該第１の周波数領域リソースが図６に第１の時間領域シンボルにおいてＰＳＳを伝送する周波数領域リソースに対応し、該第３の周波数領域リソースが、例えば、図６に２番目の時間領域シンボル及び４番目の時間領域シンボルにおいてＰＢＣＨを伝送する周波数領域リソースに対応し、該第４の周波数領域リソースが、例えば、図６に３番目の時間領域シンボルにおいてＳＳＳを伝送する周波数領域リソースに対応し、該第２の周波数領域リソースが、例えば、図６に３番目の時間領域シンボルにおいてＰＢＣＨを伝送する時間領域リソースに対応する。
【０１３４】
本願の実施例は、節電信号の５つの可能なタイプ構成を例とし、図７〜図１１を参照し、本願の実施例における可能な節電信号のチャネル構成を説明し、又は、該節電信号に含まれる第１のシーケンス、第１の信号及び／又は第２のシーケンスが占用する時間周波数リソース位置の間の相互関係を説明する。
【０１３５】
第１のタイプ構成
該第１のシーケンスが第１の時間領域リソースを占用し、該第１のチャネルが第２の時間領域リソース、第３の時間領域リソース及び第４の時間領域リソースを占用し、該第２のシーケンスが該第３の時間領域リソースを占用する。
【０１３６】
任意選択で、図７（ａ）に示すように、該第１のシーケンスが該第１の時間領域リソースにおいて第１の周波数領域リソースを占用し、該第１のチャネルが該第２の時間領域リソース及び該第４の時間領域リソースにおいて第３の周波数領域リソースを占用し、該第３の時間領域リソースにおいて第２の周波数領域リソースを占用し、該第２のシーケンスが該第３の時間領域リソースにおいて第４の周波数領域リソースを占用する。
【０１３７】
ここで、該第１の周波数領域リソース、該第３の周波数領域リソース及び該第４の周波数領域リソースの中心周波数ポイントが同じであり、該第２の周波数領域リソースは、該第４の周波数領域リソース両側に位置する等しい２つの周波数領域リソースを含み、該第３の周波数領域リソースが該第２の周波数領域リソース及び該第４の周波数領域リソースを含み、該第１の周波数領域リソースの幅が該第３の周波数領域リソースの幅以下である。
【０１３８】
ここで、任意選択で、該第１の周波数領域リソースが１２+Ｐ個の物理リソースブロックＰＲＢを含み、該第３の周波数領域リソースが２０個のＰＲＢを含み、該第４の周波数領域リソースが１２個のＰＲＢを含み、該第２の周波数領域リソースが８個のＰＲＢを含む。
【０１３９】
Ｐ=０である場合、該第１の周波数領域リソースのサイズが１２個のＰＲＢである。この時、該節電信号の構成がＳＳＢの構成と同様であり、該第１のシーケンスがＳＳＳであり、該第２のシーケンスがＳＳＳであり、該第１のチャネルのチャネル構成がＰＢＣＨのチャネル構成と同じであるが、搬送されるペイロードが異なる。Ｐ=０である場合、該節電信号の構成は、例えば、図７（ｂ）に示す。
【０１４０】
図７ ( ｂ )に示す構成を用いることで、この節電信号の構成をＳＳＢの構成と同じにすることができ(第１のシーケンスはＰＳＳに相当し、第２のシーケンスはＳＳＳに相当し、第１のチャネルはＰＢＣＨに相当するが、両者のｐａｙｌｏａｄの内容が異なる)、従来規格への最低限の影響を実現している。図７ ( ａ )は、第１のシーケンスが占有する周波数領域リソースの幅をＰだけ増加させ、より多くの異なるデバイス識別子ＵＥ ＩＤ又はデバイスグループ識別子の表示を可能にする。例えば、第１のシーケンスが異なるサイクリックシフトによって異なるＵＥ ＩＤまたはデバイスグループ識別子を示す場合、同じサイクリックシフトが間隔される場合、図７ ( ａ )のような構造は、より多くのサイクリックシフトを提供することができ、より多くのＵＥ ＩＤまたはデバイスグループ識別子の表示をサポートする。
【０１４１】
第２のタイプ構成
該第１のシーケンスが第１の時間領域リソースを占用し、該第１のチャネルが第２の時間領域リソースを占用し、該第２のシーケンスが第３の時間領域リソースを占用する。
【０１４２】
第１のチャネルで搬送される必要がある情報が少ない場合、節電信号が占有するシンボル数を減らし、端末デバイスが節電信号を受信する複雑性を減らし、端末デバイスの消費電力を低減するために、既存のＳＳＢ構造を適切にクリッピングすることができ、例えば、第１のチャネルが第４の時間領域リソースを占有しなくてもよい。
【０１４３】
該第１のチャネルが第２の時間領域リソースのみを占用する場合、任意選択で、図８（ａ）に示すように、該第１のシーケンスが該第１の時間領域リソースにおいて第１の周波数領域リソースを占用し、該第１のチャネルが該第２の時間領域リソースにおいて該第１の周波数領域リソースを占用し、該第２のシーケンスが該第３の時間領域リソースにおいて該第１の周波数領域リソースを占用する。
【０１４４】
該第１のチャネルが該第２の時間領域リソース及び該第３の時間領域リソースを占用する場合、任意選択で、図８（ｂ）に示すように、該第１のシーケンスが該第１の時間領域リソースにおいて第１の周波数領域リソースを占用し、該第１のチャネルが該第２の時間領域リソースにおいて第３の周波数領域リソースを占用し、該第３の時間領域リソースにおいて第２の周波数領域リソースを占用し、該第２のシーケンスが該第３の時間領域リソースにおいて第４の周波数領域リソースを占用する。
【０１４５】
ここで、該第１の周波数領域リソース、該第３の周波数領域リソース及び該第４の周波数領域リソースの中心周波数ポイントが同じであり、該第２の周波数領域リソースは、該第４の周波数領域リソース両側に位置する等しい２つの周波数領域リソースを含み、該第３の周波数領域リソースが該第２の周波数領域リソース及び該第４の周波数領域リソースを含み、該第１の周波数領域リソースの幅が該第３の周波数領域リソースの幅以下である。
【０１４６】
ここで、任意選択で、該第１の周波数領域リソースが１２+Ｐ個の物理リソースブロックＰＲＢを含み、該第３の周波数領域リソースが２０個のＰＲＢを含み、該第４の周波数領域リソースが１２個のＰＲＢを含み、該第２の周波数領域リソースが８個のＰＲＢを含む。
【０１４７】
Ｐ = ０のとき、該第１の周波数領域リソースのサイズは１２個のＰＲＢであり、このとき、該節電信号の構成例は図８ ( ｃ )に示される。図８ ( ｃ )に示す構成を用いることで、この該節電信号の構成をＳＳＢと同様の構成にすることができ、従来の規格への影響を小さくすることができる。図８ ( ｂ )は、第１のシーケンスが占有する周波数領域リソースの幅をＰだけ増加させ、より多くの異なるデバイス識別子ＵＥ ＩＤ又はデバイスグループ識別子の表示を可能にする。例えば、第１のシーケンスが異なるサイクリックシフトによって異なるＵＥ ＩＤまたはデバイスグループ識別子を示す場合、同じサイクリックシフトが間隔される場合、図８ ( ｂ )のような構成は、より多くのサイクリックシフトを提供することができ、より多くのＵＥ ＩＤまたはデバイスグループ識別子の表示をサポートする。
【０１４８】
第３のタイプ構成
任意選択で、該第１のシーケンスが第１の時間領域リソースを占用し、該第２のシーケンスが第２の時間領域リソースを占用し、該第１のチャネルが第３の時間領域リソースを占用する。
【０１４９】
第１のチャネルで搬送される必要がある情報が少ない場合、節電信号が占有するシンボル数を減らし、端末デバイスが節電信号を受信する複雑性を減らし、端末デバイスの消費電力を低減するために、既存のＳＳＢ構造を適切にクリッピングすることができ、例えば、第１のチャネルが第４の時間領域リソースを占有しなくてもよい。
【０１５０】
該第１のチャネルが第２の時間領域リソースのみを占用する場合、任意選択で、図９（ａ）に示すように、該第１のシーケンスが該第１の時間領域リソースにおいて第１の周波数領域リソースを占用し、該第２のシーケンスが該第２の時間領域リソースにおいて該第１の周波数領域リソースを占用し、該第１のチャネルが該第３の時間領域リソースにおいて該第１の周波数領域リソースを占用する。
【０１５１】
該第１のチャネルが該第２の時間領域リソース及び該第３の時間領域リソースを占用する場合、任意選択で、図９（ｂ）に示すように、該第１のシーケンスが該第１の時間領域リソースにおいて第１の周波数領域リソースを占用し、該第２のシーケンスが該第２の時間領域リソースにおいて第４の周波数領域リソースを占用し、該第１のチャネルが該第２の時間領域リソースにおいて第２の周波数領域リソースを占用し、該第３の時間領域リソースにおいて第３の周波数領域リソースを占用する。
【０１５２】
ここで、該第１の周波数領域リソース、該第３の周波数領域リソース及び該第４の周波数領域リソースの中心周波数ポイントが同じであり、該第２の周波数領域リソースは、該第４の周波数領域リソース両側に位置する等しい２つの周波数領域リソースを含み、該第３の周波数領域リソースが該第２の周波数領域リソース及び該第４の周波数領域リソースを含み、該第１の周波数領域リソースの幅が該第３の周波数領域リソースの幅以下である。
【０１５３】
ここで、任意選択で、該第１の周波数領域リソースが１２+Ｐ個の物理リソースブロックＰＲＢを含み、該第３の周波数領域リソースが２０個のＰＲＢを含み、該第４の周波数領域リソースが１２個のＰＲＢを含み、該第２の周波数領域リソースが８個のＰＲＢを含む。
【０１５４】
Ｐ = ０のとき、該第１の周波数領域リソースのサイズは１２個のＰＲＢであり、このとき、該節電信号の構成例は図９( ｃ )に示される。図９ ( ｃ )に示す構成を用いることで、この該節電信号の構成をＳＳＢと同様の構成にすることができ、従来の規格への影響を小さくすることができる。図９ ( ｂ )は、第１のシーケンスが占有する周波数領域リソースの幅をＰだけ増加させ、より多くの異なるデバイス識別子ＵＥ ＩＤ又はデバイスグループ識別子の表示を可能にする。例えば、第１のシーケンスが異なるサイクリックシフトによって異なるＵＥ ＩＤまたはデバイスグループ識別子を示す場合、同じサイクリックシフトが間隔される場合、図９ ( ｂ )のような構成は、より多くのサイクリックシフトを提供することができ、より多くのＵＥ ＩＤまたはデバイスグループ識別子の表示をサポートする。
【０１５５】
第３のタイプ構成は、第２のタイプ構成に比べて、第２のシーケンスと第１のチャネルの伝送先後を調整したものである。
【０１５６】
なお、本願の実施例では、第１のシーケンスの優先伝送を例として説明し、すなわち、第１の時間領域リソース上で伝送されるのは、第１のシーケンスである。ただし、本願は、第１のシーケンス、第２のシーケンス及び第１のチャネルの伝送順序を何ら限定するものではない。すなわち、本願は、第１の時間領域リソース、第２の時間領域リソース、第３の時間領域リソース及び第４の時間領域リソースのサイズ及び順序を何ら限定するものではない。
【０１５７】
第４のタイプ構成
該第１のシーケンスが第１の時間領域リソースを占用し、該第２のシーケンスが第２の時間領域リソースを占用し、該第１のチャネルが該第２の時間領域リソースを占用する。
【０１５８】
端末デバイスの節電信号の受信の複雑性をさらに高め、端末デバイスの消費電力を低減するために、節電信号が占有する時間領域リソースを２つのシンボルに削減するなど、節電信号が占有するシンボル数をさらに減らしてもよい。
【０１５９】
該第１のチャネルが第２の時間領域リソースのみを占用する場合、任意選択で、図１０（ａ）に示すように、該第１のシーケンスが該第１の時間領域リソースにおいて第１の周波数領域リソースを占用し、該第１のチャネルが該第２の時間領域リソースにおいて第２の周波数領域リソースを占用し、該第２のシーケンスが該第２の時間領域リソースにおいて第４の周波数領域リソースを占用する。
【０１６０】
ここで、該第１の周波数領域リソースと該第４の周波数領域リソースの中心周波数ポイントが同じであり、該第２の周波数領域リソースは、該第４の周波数領域リソース両側に位置する等しい２つの周波数領域リソースを含み、該第４の周波数領域リソースと該第２の周波数領域リソースとの和は、第３の周波数領域リソースであり、該第１の周波数領域リソースの幅が該第３の周波数領域リソースの幅以下である。
【０１６１】
ここで、任意選択で、該第１の周波数領域リソースが１２+Ｐ個の物理リソースブロックＰＲＢを含み、該第３の周波数領域リソースが２０個のＰＲＢを含み、該第４の周波数領域リソースが１２個のＰＲＢを含み、該第２の周波数領域リソースが８個のＰＲＢを含む。
【０１６２】
Ｐ = ０のとき、該第１の周波数領域リソースのサイズは１２個のＰＲＢであり、このとき、該節電信号の構成例は図１０( ｂ )に示される。図１０ (ａ )に示す構成を用いることで、この該節電信号の構成をＳＳＢと同様の構成にすることができ、従来の規格への影響を小さくすることができる。図１０ ( ｂ )は、第１のシーケンスが占有する周波数領域リソースの幅をＰだけ増加させ、より多くの異なるデバイス識別子ＵＥ ＩＤ又はデバイスグループ識別子の表示を可能にする。例えば、第１のシーケンスが異なるサイクリックシフトによって異なるＵＥ ＩＤまたはデバイスグループ識別子を示す場合、同じサイクリックシフトが間隔される場合、図１０ ( ｂ )のような構成は、より多くのサイクリックシフトを提供することができ、より多くのＵＥ ＩＤまたはデバイスグループ識別子の表示をサポートする。
【０１６３】
該第１のチャネルが該第２の時間領域リソース及び該第３の時間領域リソースを占用する場合、任意選択で、図１０（ｃ）に示すように、該第１のシーケンスが該第１の時間領域リソースにおいて第１の周波数領域リソースを占用し、該第２のシーケンスが該第２の時間領域リソースにおいて該第１の周波数領域リソースを占用し、該第１のチャネルが該第１の時間領域リソース及び該第２の時間領域リソースにおいてともに第２の周波数領域リソースを占用する。
【０１６４】
ここで、該第２の周波数領域リソースは、該第１の周波数領域リソース両側に位置する等しい２つの周波数領域リソースを含み、該第１の周波数領域リソースと該第２の周波数領域リソースとの和が、第３の周波数領域リソースである。
【０１６５】
第５のタイプ構成
前の４つのタイプ構成の節電信号は、第１のシーケンス、第２のシーケンス、第１のチャネルを有するものとして説明した。節電信号が第１のシーケンス及び第１チャネルのみを含む場合、この節電信号の構成は第５のタイプ構成であってもよい。
【０１６６】
任意選択で、該第１のシーケンスが第１の時間領域リソースを占用し、該第１のチャネルが第２の時間領域リソースを占用する。
【０１６７】
この場合、前記端末デバイスは、前記第１のシーケンスの検出に基づいて、節電信号が送信されているか否かを判定し、第１のシーケンスおよび第１のチャネルのパイロット、例えばＤＭＲＳに基づいて時間周波数同期を達成し、第１のチャネルのＤＭＲＳに基づいて、測定を可能にする(セルＩＤに基づいて第１のチャネルのＤＭＲＳを生成することが要求される)。第１のチャネル、例えば、節電指示情報を搬送し、１つ以上の後のＤＲＸ周期における活性化期間の全て又は一部の期間において端末デバイスがウェイクアップ又は休止状態であることを示す。この設計により、リソースのオーバーヘッドが少なくなり、端末デバイスの検出の複雑度がさらに低くなり、節電信号による情報搬送能力が向上し、情報搬送の柔軟性が向上する。
【０１６８】
該第１のチャネルが第２の時間領域リソースのみを占用する場合、任意選択で、図１１（ａ）に示すように、該第１のシーケンスが該第１の時間領域リソースにおいて第１の周波数領域リソースを占用し、該第１のチャネルが該第２の時間領域リソースにおいて該第１の周波数領域リソースを占用する。
【０１６９】
該第１のチャネルが該第１の時間領域リソース及び該第２の時間領域リソースを占用する場合、任意選択で、図１１（ｂ）に示すように、該第１のシーケンスが該第１の時間領域リソースにおいて第１の周波数領域リソースを占用し、該第１のチャネルが該第１の時間領域リソースにおいて第２の周波数領域リソースを占用し、該第２の時間領域リソースにおいて第３の周波数領域リソースを占用する。
【０１７０】
ここで、該第１の周波数領域リソースと該第３の周波数領域リソースの中心周波数ポイントが同じであり、該第２の周波数領域リソースは、該第１の周波数領域リソース両側に位置する等しい２つの周波数領域リソースを含み、該第３の周波数領域リソースが該第１の周波数領域リソース及び該第２の周波数領域リソースを含む。
【０１７１】
なお、上記の節電信号の構成が例であり、本願の実施例は、第１の周波数領域リソース、第２の周波数領域リソース、第３の周波数領域リソース及び第４の周波数領域リソースのサイズ及び位置を限定しない。好ましくは、該第１の周波数領域リソース、該第３の周波数領域リソース及び該第４の周波数領域リソースの中心周波数ポイントが同じであり、該第２の周波数領域リソースは、該第４の周波数領域リソース両側に位置する等しい２つの周波数領域リソースを含み、該第３の周波数領域リソースが該第２の周波数領域リソース及び該第４の周波数領域リソースを含み、該第１の周波数領域リソースの幅が該第３の周波数領域リソースの幅以下である。このように、従来規格に最小の影響を与えることができる
しかし、本願の実施例はこれに限定されず、例えば、第１の周波数領域リソース及び/又は第４の周波数領域リソースのサイズは、１２個のＰＲＢより小さくてもよく、また、例えば、第２の周波数領域リソースのサイズは、８つのＰＲＢよりも小さくてもよく(例えば、第２の周波数領域リソースは、第４の周波数領域リソースの一方の側の４つのＰＲＢのみを含む)、また、例えば、第３の周波数領域リソースのサイズは、２０個のＰＲＢよりも大きくてもよいし、２０個のＰＲＢよりも小さくてもよい。これらの周波数領域リソースのサイズは、いずれも実際の伝送コンテンツのサイズに応じて調整されてよい。
【０１７２】
なお、本願の様々な実施例において、上述のプロセスの順序のサイズは、実行順序の先後を意味するものではなく、各プロセスの実行順序は、その機能及び内部ロジックにおいて決定されるべきであり、本願の実施例のプロセスを何ら限定するものではない。
【０１７３】
また、本明細書に記載された様々な実施例および/または様々な実施形態における技術的特徴は、矛盾なく互いに組み合わせることができ、組み合わせた後の技術的解決策も本明細書の保護範囲に含まれる
本願の実施例による信号伝送方法を上記で詳細に説明し、以下に、図１２〜図１５を参照して、本願の実施例による装置を説明し、方法の実施例によって説明される技術的特徴は、以下の装置の実施例に適用される。
【０１７４】
図１２は本願の実施例におけるネットワークデバイス１２００のブロック図である。図に示すように、該ネットワークデバイス１２００は、処理ユニット１２１０及び送受信ユニット１２２０を含み、
処理ユニット１２１０は、節電信号を生成するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
送受信ユニット１２２０は、前記処理ユニット１２１０により生成された前記節電信号を端末デバイスに送信するように構成され、
ここで、前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む。
【０１７５】
そこで、本願の実施例においてネットワークデバイスが送信する該節電信号節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができ、さらに、この第１のシーケンスは、時間周波数同期や測定等の機能を有することもでき、節電信号の機能を大幅に向上させて、端末デバイスの消費電力を更に低減することができる。
【０１７６】
任意選択で、前記第１のシーケンスが前記端末デバイスが属するデバイスグループの識別子を示し、ここで、Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である。
【０１７７】
任意選択で、前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである。
【０１７８】
任意選択で、前記第１のシーケンスが前記端末デバイスのデバイス識別子を示し、ここで、Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である。
【０１７９】
任意選択で、前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである。
【０１８０】
任意選択で、前記第１のシーケンスは、前記端末デバイスが位置するセルのＰＣＩ情報を示し、ここで、Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である。
【０１８１】
任意選択で、前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである。
【０１８２】
任意選択で、前記第１のシーケンスは、前記端末デバイスが属するデバイスグループの識別子及び前記端末デバイスが位置するセルのＰＣＩ情報を示し、ここで、Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである。
【０１８３】
任意選択で、前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである。
【０１８４】
任意選択で、前記第１のシーケンスは、前記端末デバイスのデバイス識別子及び前記端末デバイスが位置するセルのＰＣＩ情報を示し、ここで、Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである。
【０１８５】
任意選択で、前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである。
【０１８６】
任意選択で、前記端末デバイスが位置するセルのＰＣＩ情報は、前記端末デバイスが位置するセルのＰＣＩが属するＰＣＩグループの識別子、又は、前記端末デバイスが位置するセルのＰＣＩを含み、ここで、ＰＣＩ ｍｏｄ Ｋの値が等しいＰＣＩが同一のＰＣＩグループに属する。
【０１８７】
任意選択で、前記第１のシーケンスは、ＺＣシーケンス、Ｍシーケンス又はＰＮシーケンスである。
【０１８８】
任意選択で、前記第１のシーケンスは、前記端末デバイスが位置するセルのＰＣＩ情報を示す場合、さらに、前記端末デバイスが無線リソース管理ＲＲＭ測定を行うために使用される。
【０１８９】
任意選択で、前記節電信号が第１のチャネルをさらに含み、ここで、前記第１のチャネルは、前記端末デバイスが属するデバイスグループの識別子、又は、前記端末デバイスのデバイス識別子を示す。
【０１９０】
任意選択で、前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す。
【０１９１】
任意選択で、前記第１のチャネルは、さらに、前記端末デバイスが使用する帯域幅部分ＢＷＰの情報及び／又は物理下り制御チャネルＰＤＣＣＨ探索空間の構成情報を示す。
【０１９２】
任意選択で、前記第１のシーケンスが第１の時間領域リソースを占用し、前記第１のチャネルが第２の時間領域リソースを占用し、前記第２の時間領域リソースが前記第１の時間領域リソースの後に位置する。
【０１９３】
任意選択で、前記第１のシーケンスが前記第１の時間領域リソースにおいて第１の周波数領域リソースを占用し、前記第１のチャネルが前記第２の時間領域リソースにおいて前記第１の周波数領域リソースを占用する。
【０１９４】
任意選択で、前記第１のチャネルが前記第１の時間領域リソースをさらに占用する。前記第１のシーケンスが前記第１の時間領域リソースにおいて第１の周波数領域リソースを占用し、前記第１のチャネルが前記第１の時間領域リソースにおいて第２の周波数領域リソースを占用し、前記第２の時間領域リソースにおいて第３の周波数領域リソースを占用する。前記第１の周波数領域リソースと前記第３の周波数領域リソースの中心周波数ポイントが同じであり、前記第２の周波数領域リソースが前記第１の周波数領域リソース両側に位置する等しい２つの周波数領域リソースを含み、前記第３の周波数領域リソースが前記第１の周波数領域リソース及び前記第２の周波数領域リソースを含む。
【０１９５】
任意選択で、前記節電信号が第２のシーケンスをさらに含み、ここで、前記第２のシーケンスは、前記端末デバイスに関連する識別情報のうちの少なくとも一部の識別情報を示す。
【０１９６】
任意選択で、前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、前記第１のシーケンスが前記端末デバイスが位置するセルのＰＣＩ情報を示さない場合、前記第２のシーケンスが前記端末デバイスが位置するセルのＰＣＩ情報を示し、前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す。
【０１９７】
任意選択で、前記第２のシーケンスは、ＺＣシーケンス、Ｍシーケンス又はＰＮシーケンスである。
【０１９８】
任意選択で、前記第１のシーケンスが第１の時間領域リソースを占用し、前記第１のチャネルが第２の時間領域リソース、第３の時間領域リソース及び第４の時間領域リソースを占用し、前記第２のシーケンスが前記第３の時間領域リソースを占用する。前記第１の時間領域リソース、前記第２の時間領域リソース、前記第３の時間領域リソース及び前記第４の時間領域リソースは、時間領域において前から後に順に位置する。
【０１９９】
任意選択で、前記第１のシーケンスが前記第１の時間領域リソースにおいて第１の周波数領域リソースを占用し、前記第１のチャネルが前記第２の時間領域リソース及び前記第４の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２００】
任意選択で、前記第１のシーケンスが第１の時間領域リソースを占用し、前記第１のチャネルが第２の時間領域リソースを占用し、前記第２のシーケンスが第３の時間領域リソースを占用する。前記第１の時間領域リソース、前記第２の時間領域リソース及び前記第３の時間領域リソースが、時間領域において前から後に順に位置する。
【０２０１】
任意選択で、前記第１のシーケンスが前記第１の時間領域リソースにおいて第１の周波数領域リソースを占用し、前記第１のチャネルが前記第２の時間領域リソースにおいて前記第１の周波数領域リソースを占用し、前記第２のシーケンスが前記第３の時間領域リソースにおいて前記第１の周波数領域リソースを占用する。
【０２０２】
任意選択で、前記第１のチャネルが前記第３の時間領域リソースをさらに占用する。前記第１のシーケンスが前記第１の時間領域リソースにおいて第１の周波数領域リソースを占用し、前記第１のチャネルが前記第２の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２０３】
任意選択で、前記第１のシーケンスが第１の時間領域リソースを占用し、前記第２のシーケンスが第２の時間領域リソースを占用し、前記第１のチャネルが第３の時間領域リソースを占用する。前記第１の時間領域リソース、前記第２の時間領域リソース及び前記第３の時間領域リソースが、時間領域において前から後に順に位置する。
【０２０４】
任意選択で、前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第３の時間領域リソースにおいて前記第１の周波数領域リソースを占用する。
【０２０５】
任意選択で、前記第１のチャネルが前記第２の時間領域リソースをさらに占用する。前記第１のシーケンスが前記第１の時間領域リソースにおいて第１の周波数領域リソースを占用し、前記第２のシーケンスが前記第２の時間領域リソースにおいて第４の周波数領域リソースを占用し、前記第１のチャネルが前記第２の時間領域リソースにおいて第２の周波数領域リソースを占用し、前記第３の時間領域リソースにおいて第３の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２０６】
任意選択で、前記第１のシーケンスが第１の時間領域リソースを占用し、前記第２のシーケンスが第２の時間領域リソースを占用し、前記第１のチャネルが前記第２の時間領域リソースを占用し、前記第２の時間領域リソースが前記第１の時間領域リソースの後に位置する。
【０２０７】
任意選択で、前記第１のシーケンスが前記第１の時間領域リソースにおいて第１の周波数領域リソースを占用し、前記第１のチャネルが前記第２の時間領域リソースにおいて第２の周波数領域リソースを占用し、前記第２のシーケンスが前記第２の時間領域リソースにおいて第４の周波数領域リソースを占用する。前記第１の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第４の周波数領域リソースと前記第２の周波数領域リソースとの和が第３の周波数領域リソースであり、前記第１の周波数領域リソースの幅が前記第３の周波数領域リソースの幅以下である。
【０２０８】
任意選択で、前記第１のチャネルが前記第１の時間領域リソースをさらに占用する。前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第１の時間領域リソース及び前記第２の時間領域リソースにおいてともに第２の周波数領域リソースを占用する。前記第２の周波数領域リソースが前記第１の周波数領域リソース両側に位置する等しい２つの周波数領域リソースを含み、前記第１の周波数領域リソースと前記第２の周波数領域リソースとの和が第３の周波数領域リソースである。
【０２０９】
任意選択で、前記第１の周波数領域リソースが１２＋Ｐ個の物理リソースブロックＰＲＢを含み、前記第３の周波数領域リソースが２０個のＰＲＢを含み、前記第４の周波数領域リソースが１２個のＰＲＢを含み、前記第２の周波数領域リソースに含まれる前記第４の周波数領域リソース両側に位置する等しい２つ周波数領域リソースは、それぞれ４個のＰＲＢであり、Ｐが自然数である。
【０２１０】
任意選択で、前記第１のシーケンスがプライマリ同期信号ＰＳＳであり、第２のシーケンスがセカンダリ同期信号ＳＳＳであり、前記第１のチャネルのチャネル構成が物理放送チャネルＰＢＣＨのチャネル構成と同じであり、前記第１のチャネルで搬送されるペイロードと前記ＰＢＣＨで搬送されるペイロードとが異なる。
【０２１１】
なお、ネットワークデバイス１２００は、上述の方法３００においてネットワークデバイスによって実行される対応する動作を実行し、簡潔性のためにここで説明を省略する。
【０２１２】
図１３は、本願の実施例による端末デバイス１３００の概略的なブロック図である。図１３に示すように、端末デバイス１３００は、送受信ユニット１３１０と、処理ユニット１３２０とを有する。
【０２１３】
送受信ユニット１３１０は、ネットワークデバイスにより送信された節電信号を受信するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
処理ユニット１３２０は、前記送受信ユニット１３１０により受信された前記節電信号に基づいて、節電動作を行うように構成され、
ここで、前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む。
【０２１４】
そこで、本願の実施例では、この節電信号が第１のシーケンスを含み、この第１のシーケンスの設計は、端末デバイスの特定の情報、例えば、端末デバイスが属するデバイスグループ、端末デバイスのデバイス識別子、端末デバイスが位置するセルの物理セル識別子などの情報に関連し、そして、属性の異なる端末デバイスが自己の属する節電信号を効率的に認識してこの節電信号に応じた動作を行うことができ、さらに、この第１のシーケンスは、時間周波数同期や測定等の機能を有することもでき、節電信号の機能を大幅に向上させて、端末デバイスの消費電力を更に低減することができる。
【０２１５】
任意選択で、前記第１のシーケンスが前記端末デバイスが属するデバイスグループの識別子を示し、ここで、Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である。
【０２１６】
任意選択で、前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである。
【０２１７】
任意選択で、前記第１のシーケンスが前記端末デバイスのデバイス識別子を示し、ここで、Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である。
【０２１８】
任意選択で、前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである。
【０２１９】
任意選択で、前記第１のシーケンスは、前記端末デバイスが位置するセルのＰＣＩ情報を示し、ここで、Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である。
【０２２０】
任意選択で、前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである。
【０２２１】
任意選択で、前記第１のシーケンスは、前記端末デバイスが属するデバイスグループの識別子及び前記端末デバイスが位置するセルのＰＣＩ情報を示し、ここで、Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである。
【０２２２】
任意選択で、前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである。
【０２２３】
任意選択で、前記第１のシーケンスは、前記端末デバイスのデバイス識別子及び前記端末デバイスが位置するセルのＰＣＩ情報を示し、ここで、Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである。
【０２２４】
任意選択で、前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである。
【０２２５】
任意選択で、前記端末デバイスが位置するセルのＰＣＩ情報は、前記端末デバイスが位置するセルのＰＣＩが属するＰＣＩグループの識別子、又は、前記端末デバイスが位置するセルのＰＣＩを含み、ここで、ＰＣＩ ｍｏｄ Ｋの値が等しいＰＣＩが同一のＰＣＩグループに属する。
【０２２６】
任意選択で、前記第１のシーケンスは、ＺＣシーケンス、Ｍシーケンス又はＰＮシーケンスである。
【０２２７】
任意選択で、前記第１のシーケンスは、前記端末デバイスが位置するセルのＰＣＩ情報を示す場合、さらに、前記端末デバイスが無線リソース管理ＲＲＭ測定を行うために使用される。
【０２２８】
任意選択で、前記節電信号が第１のチャネルをさらに含み、ここで、前記第１のチャネルは、前記端末デバイスが属するデバイスグループの識別子、又は、前記端末デバイスのデバイス識別子を示す。
【０２２９】
任意選択で、前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す。
【０２３０】
任意選択で、前記第１のチャネルは、さらに、前記端末デバイスが使用する帯域幅部分ＢＷＰの情報及び／又は物理下り制御チャネルＰＤＣＣＨ探索空間の構成情報を示す。
【０２３１】
任意選択で、前記第１のシーケンスが第１の時間領域リソースを占用し、前記第１のチャネルが第２の時間領域リソースを占用し、前記第２の時間領域リソースが前記第１の時間領域リソースの後に位置する。
【０２３２】
任意選択で、前記第１のシーケンスが前記第１の時間領域リソースにおいて第１の周波数領域リソースを占用し、前記第１のチャネルが前記第２の時間領域リソースにおいて前記第１の周波数領域リソースを占用する。
【０２３３】
任意選択で、前記第１のチャネルが前記第１の時間領域リソースをさらに占用する。前記第１のシーケンスが前記第１の時間領域リソースにおいて第１の周波数領域リソースを占用し、前記第１のチャネルが前記第１の時間領域リソースにおいて第２の周波数領域リソースを占用し、前記第２の時間領域リソースにおいて第３の周波数領域リソースを占用する。前記第１の周波数領域リソースと前記第３の周波数領域リソースの中心周波数ポイントが同じであり、前記第２の周波数領域リソースが前記第１の周波数領域リソース両側に位置する等しい２つの周波数領域リソースを含み、前記第３の周波数領域リソースが前記第１の周波数領域リソース及び前記第２の周波数領域リソースを含む。
【０２３４】
任意選択で、前記節電信号が第２のシーケンスをさらに含み、ここで、前記第２のシーケンスは、前記端末デバイスに関連する識別情報のうちの少なくとも一部の識別情報を示す。
【０２３５】
任意選択で、前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、前記第１のシーケンスが前記端末デバイスが位置するセルのＰＣＩ情報を示さない場合、前記第２のシーケンスが前記端末デバイスが位置するセルのＰＣＩ情報を示し、前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す。
【０２３６】
任意選択で、前記第２のシーケンスは、ＺＣシーケンス、Ｍシーケンス又はＰＮシーケンスである。
【０２３７】
任意選択で、前記第１のシーケンスが第１の時間領域リソースを占用し、前記第１のチャネルが第２の時間領域リソース、第３の時間領域リソース及び第４の時間領域リソースを占用し、前記第２のシーケンスが前記第３の時間領域リソースを占用する。前記第１の時間領域リソース、前記第２の時間領域リソース、前記第３の時間領域リソース及び前記第４の時間領域リソースは、時間領域において前から後に順に位置する。
【０２３８】
任意選択で、前記第１のシーケンスが前記第１の時間領域リソースにおいて第１の周波数領域リソースを占用し、前記第１のチャネルが前記第２の時間領域リソース及び前記第４の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２３９】
任意選択で、前記第１のシーケンスが第１の時間領域リソースを占用し、前記第１のチャネルが第２の時間領域リソースを占用し、前記第２のシーケンスが第３の時間領域リソースを占用する。前記第１の時間領域リソース、前記第２の時間領域リソース及び前記第３の時間領域リソースが、時間領域において前から後に順に位置する。
【０２４０】
任意選択で、前記第１のシーケンスが前記第１の時間領域リソースにおいて第１の周波数領域リソースを占用し、前記第１のチャネルが前記第２の時間領域リソースにおいて前記第１の周波数領域リソースを占用し、前記第２のシーケンスが前記第３の時間領域リソースにおいて前記第１の周波数領域リソースを占用する。
【０２４１】
任意選択で、前記第１のチャネルが前記第３の時間領域リソースをさらに占用する。前記第１のシーケンスが前記第１の時間領域リソースにおいて第１の周波数領域リソースを占用し、前記第１のチャネルが前記第２の時間領域リソースにおいて第３の周波数領域リソースを占用し、前記第３の時間領域リソースにおいて第２の周波数領域リソースを占用し、前記第２のシーケンスが前記第３の時間領域リソースにおいて第４の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２４２】
任意選択で、前記第１のシーケンスが第１の時間領域リソースを占用し、前記第２のシーケンスが第２の時間領域リソースを占用し、前記第１のチャネルが第３の時間領域リソースを占用する。前記第１の時間領域リソース、前記第２の時間領域リソース及び前記第３の時間領域リソースが、時間領域において前から後に順に位置する。
【０２４３】
任意選択で、前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第３の時間領域リソースにおいて前記第１の周波数領域リソースを占用する。
【０２４４】
任意選択で、前記第１のチャネルが前記第２の時間領域リソースをさらに占用する。前記第１のシーケンスが前記第１の時間領域リソースにおいて第１の周波数領域リソースを占用し、前記第２のシーケンスが前記第２の時間領域リソースにおいて第４の周波数領域リソースを占用し、前記第１のチャネルが前記第２の時間領域リソースにおいて第２の周波数領域リソースを占用し、前記第３の時間領域リソースにおいて第３の周波数領域リソースを占用する。前記第１の周波数領域リソースと前記第３の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第３の周波数領域リソースが前記第２の周波数領域リソース及び前記第４の周波数領域リソースを含み、前記第１の周波数領域リソースの幅が前記第３の周波数領域リソースの幅以下である。
【０２４５】
任意選択で、前記第１のシーケンスが第１の時間領域リソースを占用し、前記第２のシーケンスが第２の時間領域リソースを占用し、前記第１のチャネルが前記第２の時間領域リソースを占用し、前記第２の時間領域リソースが前記第１の時間領域リソースの後に位置する。
【０２４６】
任意選択で、前記第１のシーケンスが前記第１の時間領域リソースにおいて第１の周波数領域リソースを占用し、前記第１のチャネルが前記第２の時間領域リソースにおいて第２の周波数領域リソースを占用し、前記第２のシーケンスが前記第２の時間領域リソースにおいて第４の周波数領域リソースを占用する。前記第１の周波数領域リソースと前記第４の周波数領域リソースの中心周波数ポイントが同じであり、前記第２の周波数領域リソースが前記第４の周波数領域リソース両側に位置する等しい２つの周波数領域リソースを含み、前記第４の周波数領域リソースと前記第２の周波数領域リソースとの和が第３の周波数領域リソースであり、前記第１の周波数領域リソースの幅が前記第３の周波数領域リソースの幅以下である。
【０２４７】
任意選択で、前記第１のチャネルが前記第１の時間領域リソースをさらに占用する。前記第１のシーケンスが前記第１の時間領域リソースにおいて第１の周波数領域リソースを占用し、前記第２のシーケンスが前記第２の時間領域リソースにおいて前記第１の周波数領域リソースを占用し、前記第１のチャネルが前記第１の時間領域リソース及び前記第２の時間領域リソースにおいてともに第２の周波数領域リソースを占用する。前記第２の周波数領域リソースが前記第１の周波数領域リソース両側に位置する等しい２つの周波数領域リソースを含み、前記第１の周波数領域リソースと前記第２の周波数領域リソースとの和が第３の周波数領域リソースである。
【０２４８】
任意選択で、前記第１の周波数領域リソースが１２＋Ｐ個の物理リソースブロックＰＲＢを含み、前記第３の周波数領域リソースが２０個のＰＲＢを含み、前記第４の周波数領域リソースが１２個のＰＲＢを含み、前記第２の周波数領域リソースに含まれる前記第４の周波数領域リソース両側に位置する等しい２つ周波数領域リソースは、それぞれ４個のＰＲＢであり、Ｐが自然数である。
【０２４９】
任意選択で、前記第１のシーケンスがＰＳＳであり、第２のシーケンスがＳＳＳであり、前記第１のチャネルのチャネル構成がＰＢＣＨのチャネル構成と同じであり、前記第１のチャネルで搬送されるペイロードと前記ＰＢＣＨで搬送されるペイロードとが異なる。
【０２５０】
なお、端末デバイス１３００は、上述した方法３００において端末デバイスによって実行される対応する動作を実行することができ、簡潔にするためにここで説明を省略する。
【０２５１】
図１４は、本願の実施例に係る通信デバイス１４００の概略構成図である。図１４に示されるように、通信デバイスは、プロセッサ１４１０、送受信機１４２０、およびメモリ１４３０を含み、プロセッサ１４１０、送受信機１４２０、およびメモリ１４３０の間は、内部接続経路を介して互いに通信する。メモリ１４３０は、命令を記憶するために使用され、プロセッサ１４１０は、送受信機１４２０を制御して信号を受信または送信するためにメモリ１４３０によって記憶された命令を実行するために使用される。
【０２５２】
任意選択で、プロセッサ１４１０は、メモリ１４３０に記憶されたプログラムコードを呼び出して、方法３００における端末デバイスの対応する動作を実行してもよく、簡潔のためにここでは詳しい説明を省略する。
【０２５３】
任意選択で、プロセッサ１４１０は、メモリ１４３０に記憶されたプログラムコードを呼び出して、方法３００においてネットワークデバイスによって実行される対応する動作を実行してもよく、簡潔にするために、ここでは詳しい説明を省略する。
【０２５４】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施形態に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施形態に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０２５５】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ，ＰＲＯＭ )、消去可能プログラマブルリードオンリーメモリ( Ｅｒａｓａｂｌｅ ＰＲＯＭ，ＥＰＲＯＭ )、電気的消去可能プログラマブルリードオンリーメモリ( Ｅｌｅｃｔｒｉｃａｌｌｙ ＥＰＲＯＭ，ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ，ＳＲＡＭ )、ダイナミックランダムアクセスメモリ( Ｄｙｎａｍｉｃ ＲＡＭ，ＤＲＡＭ )、シンクロナスダイナミックランダムアクセスメモリ( Ｓｙｎｃｈｒｏｎｏｕｓ ＤＲＡＭ，ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ，ＤＤＲ ＳＤＲＡＭ )、エンハンスメント型シンクロナスダイナミックランダムアクセスメモリ( Ｅｎｈａｎｃｅｄ ＳＤＲＡＭ，ＥＳＤＲＡＭ )、シンクロナス接続ダイナミックランダムアクセスメモリ（ Ｓｙｎｃｈｌｉｎｋ ＤＲＡＭ，ＳＬＤＲＡＭ )、及びダイレクトメモリバスランダムアクセスメモリ( Ｄｉｒｅｃｔ Ｒａｍｂｕｓ ＲＡＭ，ＤＲ ＲＡＭ )など、多くの形態で利用可能である。本明細書で説明するシステム及び方法のメモリは、これら及び任意の他の適切なタイプのメモリを含むことを意図しているが、これらに限定されないことに留意されたい。
【０２５６】
図１５は、本願の実施例におけるシステムチップの概略構成図である。図１５のシステムチップ１５００は、入力インターフェース１５０１、出力インターフェース１５０２、少なくとも１つのプロセッサ１５０３、及びメモリ１５０４を含み、前記入力インターフェース１５０１、出力インターフェース１５０２、前記プロセッサ１５０３、及びメモリ１５０４の間は、内部接続経路によって相互接続される。プロセッサ１５０３は、メモリ１５０４内のコードを実行するように構成される。
【０２５７】
任意選択で、コードが実行されると、プロセッサ１５０３は、方法３００において端末デバイスによって実行される対応する動作を実施してもよい。簡潔にするために、ここで説明を省略する。
【０２５８】
任意選択で、コードが実行されると、プロセッサ１５０３は、方法３００においてネットワークデバイスによって実行される対応する動作を実施してもよい。簡潔にするために、ここで説明を省略する。
【０２５９】
なお、本願の実施例において、「Ａに対応する(対応する) Ｂ」とは、ＢがＡに対応付けられていることを意味し、Ａに応じてＢが決定されてもよい。ＡからＢを決定することは、ＡのみからＢを決定することを意味するのではなく、Ａおよび/または他の情報からＢを決定することもできる
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０２６０】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０２６１】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０２６２】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【０２６３】
また、本願の各実施例における各機能部は、一つの監視ユニットに集積されてもよく、各ユニットが物理的に別個に存在してもよく、二つ以上のユニットが一つのユニットに集積されてもよい。
【０２６４】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施形態に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、ＲＯＭ、ＲＡＭ、磁気ディスク、光ディスク等のプログラムコードを記憶できる種々の媒体を用いることができる。
【０２６５】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021521670.tif 000003
【図２】
2021521670.tif 000004
【図３】
2021521670.tif 000005
【図４】
2021521670.tif 000006
【図５】
2021521670.tif 000007
【図６】
2021521670.tif 000008
【図７（ａ）】
2021521670.tif 000009
【図７（ｂ）】
2021521670.tif 000010
【図８（ａ）】
2021521670.tif 000011
【図８（ｂ）】
2021521670.tif 000012
【図８（ｃ）】
2021521670.tif 000013
【図９（ａ）】
2021521670.tif 000014
【図９（ｂ）】
2021521670.tif 000015
【図９（ｃ）】
2021521670.tif 000016
【図１０（ａ）】
2021521670.tif 000017
【図１０（ｂ）】
2021521670.tif 000018
【図１０（ｃ）】
2021521670.tif 000019
【図１１（ａ）】
2021521670.tif 000020
【図１１（ｂ）】
2021521670.tif 000021
【図１２】
2021521670.tif 000022
【図１３】
2021521670.tif 000023
【図１４】
2021521670.tif 000024
【図１５】
2021521670.tif 000025
【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
ネットワークデバイスが端末デバイスに節電信号を送信することを含み、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする節電信号の伝送方法。
【請求項２】
前記第１のシーケンスが前記端末デバイスが属するデバイスグループの識別子を示し、
Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である
ことを特徴とする請求項１に記載の節電信号の伝送方法。
【請求項３】
前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである
ことを特徴とする請求項２に記載の節電信号の伝送方法。
【請求項４】
前記第１のシーケンスが前記端末デバイスのデバイス識別子を示し、
Ｎ個の異なるデバイス識別子がＮ個の第１のシーケンスに一対一対応し、前記第１のシーケンスは、前記Ｎ個の第１のシーケンスにおける前記端末デバイスのデバイス識別子に対応する第１のシーケンスであり、Ｎが正の整数である
ことを特徴とする請求項１に記載の節電信号の伝送方法。
【請求項５】
前記Ｎ個の第１のシーケンスのサイクリックシフトが異なり、前記Ｎ個の第１のシーケンスの初期値が異なり、前記Ｎ個の第１のシーケンスをスクランブルするためのスクランブルコードが異なり、前記Ｎ個の第１のシーケンスを伝送する時間領域リソースの位置が異なり、又は前記Ｎ個の第１のシーケンスがＮ個の直交シーケンスである
ことを特徴とする請求項４に記載の節電信号の伝送方法。
【請求項６】
前記第１のシーケンスは、前記端末デバイスが位置するセルのＰＣＩ情報を示し、
Ｋ個の異なるＰＣＩ情報がＫ個の第１のシーケンスに一対一対応し、前記第１のシーケンスは、前記Ｋ個の第１のシーケンスにおける前記端末デバイスのＰＣＩ情報に対応する第１のシーケンスであり、Ｋが正の整数である
ことを特徴とする請求項１に記載の節電信号の伝送方法。
【請求項７】
前記Ｋ個の第１のシーケンスのサイクリックシフトが異なり、前記Ｋ個の第１のシーケンスの初期値が異なり、前記Ｋ個の第１のシーケンスをスクランブルするためのスクランブルコードが異なり、前記Ｋ個の第１のシーケンスを伝送する時間領域リソースの位置が異なり、又は前記Ｋ個の第１のシーケンスがＫ個の直交シーケンスである
ことを特徴とする請求項６に記載の節電信号の伝送方法。
【請求項８】
前記第１のシーケンスは、前記端末デバイスが属するデバイスグループの識別子及び前記端末デバイスが位置するセルのＰＣＩ情報を示し、
Ｍ×Ｋ個の異なる識別情報がＭ×Ｋ個の第１のシーケンスに一対一対応し、前記第１のシーケンスは、前記Ｍ×Ｋ個の第１のシーケンスにおける前記端末デバイスの前記識別情報に対応する第１のシーケンスである
ことを特徴とする請求項１に記載の節電信号の伝送方法。
【請求項９】
前記Ｍ×Ｋ個の第１のシーケンスのサイクリックシフトが異なり、前記Ｍ×Ｋ個の第１のシーケンスの初期値が異なり、前記Ｍ×Ｋ個の第１のシーケンスをスクランブルするためのスクランブルコードが異なり、Ｍ×Ｋ個の第１のシーケンスを伝送する時間領域リソースの位置が異なり、又は前記Ｍ×Ｋ個の第１のシーケンスがＭ×Ｋ個の直交シーケンスである
ことを特徴とする請求項８に記載の節電信号の伝送方法。
【請求項１０】
前記第１のシーケンスは、前記端末デバイスのデバイス識別子及び前記端末デバイスが位置するセルのＰＣＩ情報を示し、
Ｎ×Ｋ個の異なる識別情報がＮ×Ｋ個の第１のシーケンスに一対一対応し、前記第１のシーケンスは、前記Ｎ×Ｋ個の第１のシーケンスにおける前記端末デバイスの前記識別情報に対応する第１のシーケンスである
ことを特徴とする請求項１に記載の節電信号の伝送方法。
【請求項１１】
前記Ｎ×Ｋ個の第１のシーケンスのサイクリックシフトが異なり、前記Ｎ×Ｋ個の第１のシーケンスの初期値が異なり、前記Ｎ×Ｋ個の第１のシーケンスをスクランブルするためのスクランブルコードが異なり、Ｎ×Ｋ個の第１のシーケンスを伝送する時間領域リソースの位置が異なり、又は前記Ｎ×Ｋ個の第１のシーケンスがＮ×Ｋ個の直交シーケンスである
ことを特徴とする請求項１０に記載の節電信号の伝送方法。
【請求項１２】
前記節電信号が第１のチャネルをさらに含み、前記第１のチャネルは、前記端末デバイスが属するデバイスグループの識別子、又は、前記端末デバイスのデバイス識別子を示す
ことを特徴とする請求項１〜１１のいずれか１項に記載の節電信号の伝送方法。
【請求項１３】
前記節電信号が第２のシーケンスをさらに含み、
前記第２のシーケンスは、前記端末デバイスに関連する識別情報のうちの少なくとも一部の識別情報を示す
ことを特徴とする請求項１〜１２のいずれか１項に記載の節電信号の伝送方法。
【請求項１４】
前記第１のシーケンス及び／又は前記第１のチャネルが前記端末デバイスが属するデバイスグループの識別子又は前記端末デバイスのデバイス識別子を示さない場合、前記第２のシーケンスが、前記端末デバイスが属するデバイスグループの識別子又は前記端末デバイスのデバイス識別子を示し、
前記第１のシーケンスが前記端末デバイスが位置するセルのＰＣＩ情報を示さない場合、前記第２のシーケンスが前記端末デバイスが位置するセルのＰＣＩ情報を示し、
前記第１のシーケンスが前記端末デバイスが位置するセルのＰＣＩ情報の一部のＰＣＩ情報を示す場合、前記第２のシーケンスが前記端末デバイスが位置するセルのＰＣＩ情報の他のＰＣＩ情報を示す
ことを特徴とする請求項１３に記載の節電信号の伝送方法。
【請求項１５】
端末デバイスがネットワークデバイスにより送信された節電信号を受信し、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用されることと、
前記端末デバイスが前記節電信号に基づいて節電動作を行うこととを含み、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする節電信号の伝送方法。
【請求項１６】
前記第１のシーケンスが前記端末デバイスが属するデバイスグループの識別子を示し、
Ｍ個の異なるデバイスグループがＭ個の第１のシーケンスに一対一対応し、前記第１のシーケンスが前記Ｍ個の第１のシーケンスにおける前記端末デバイスが属するデバイスグループに対応する第１のシーケンスであり、Ｍが正の整数である
ことを特徴とする請求項１５に記載の節電信号の伝送方法。
【請求項１７】
前記Ｍ個の第１のシーケンスのサイクリックシフトが異なり、前記Ｍ個の第１のシーケンスの初期値が異なり、前記Ｍ個の第１のシーケンスをスクランブルするためのスクランブルコードが異なり、前記Ｍ個の第１のシーケンスを伝送する時間領域リソースの位置が異なり、又は前記Ｍ個の第１のシーケンスがＭ個の直交シーケンスである
ことを特徴とする請求項１６に記載の節電信号の伝送方法。
【請求項１８】
処理ユニットと、送受信ユニットと、を備えるネットワークデバイスであって、
前記処理ユニットは、節電信号を生成するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記送受信ユニットは、前記処理ユニットにより生成された前記節電信号を端末デバイスに送信するように構成され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とするネットワークデバイス。
【請求項１９】
前記節電信号が第１のチャネルをさらに含み、前記第１のチャネルは、前記端末デバイスが属するデバイスグループの識別子、又は、前記端末デバイスのデバイス識別子を示す
ことを特徴とする請求項１８に記載のネットワークデバイス。
【請求項２０】
前記第１のシーケンスが前記端末デバイスが属するデバイスグループの識別子又は前記端末デバイスのデバイス識別子を示さない場合、前記第１のチャネルは、さらに、前記端末デバイスが属するデバイスグループの識別子、又は、前記端末デバイスのデバイス識別子を示す
ことを特徴とする請求項１９に記載のネットワークデバイス。
【請求項２１】
前記第１のチャネルは、さらに、前記端末デバイスが使用する帯域幅部分ＢＷＰの情報及び／又は物理下り制御チャネルＰＤＣＣＨ探索空間の構成情報を示す
ことを特徴とする請求項２０に記載のネットワークデバイス。
【請求項２２】
前記第１のシーケンスが第１の時間領域リソースを占用し、前記第１のチャネルが第２の時間領域リソースを占用し、前記第２の時間領域リソースが前記第１の時間領域リソースの後に位置する
ことを特徴とする請求項１９に記載のネットワークデバイス。
【請求項２３】
前記第１のシーケンスが前記第１の時間領域リソースにおいて第１の周波数領域リソースを占用し、前記第１のチャネルが前記第２の時間領域リソースにおいて前記第１の周波数領域リソースを占用する
ことを特徴とする請求項１９に記載のネットワークデバイス。
【請求項２４】
前記節電信号が第２のシーケンスをさらに含み、
前記第２のシーケンスは、前記端末デバイスに関連する識別情報のうちの少なくとも一部の識別情報を示す
ことを特徴とする請求項１８に記載のネットワークデバイス。
【請求項２５】
送受信ユニットと、処理ユニットと、を備える端末デバイスであって、
前記送受信ユニットは、ネットワークデバイスにより送信された節電信号を受信するように構成され、前記節電信号が第１のシーケンスを含み、前記第１のシーケンスが前記端末デバイスに関連する識別情報のうちの少なくとも一部の識別情報を示し、及び／又は前記第１のシーケンスが、前記端末デバイスが時間周波数同期を行うために使用され、
前記処理ユニットは、前記送受信ユニットにより受信された前記節電信号に基づいて節電動作を行うように構成され、
前記端末デバイスに関連する識別情報は、前記端末デバイスが属するデバイスグループの識別子、前記端末デバイスのデバイス識別子、及び前記端末デバイスが位置するセルの物理セル識別子ＰＣＩ情報を含む
ことを特徴とする端末デバイス。
【国際調査報告】
2021521670.tif 000026
2021521670.tif 000027
2021521670.tif 000028
2021521670.tif 000029